(57)【要約】【課題】車内において、ネットワークを安全かつ好適に使用することができるようにする。【解決手段】  車内に搭載されているコンテンツサーバ１１には、ディスプレイ装置１２−１乃至１２−３がそれぞれ、IEEE802.11bなどで規定される無線通信により接続されている。コンテンツサーバ１１とディスプレイ装置１２は、車両に関する情報などで構成される鍵生成情報を作用させた共通のキー（暗号キーおよびそれに対応する復号キー）を有している。コンテンツサーバ１１は、ディスプレイ装置１２の要求に応じて、記憶しているコンテンツを読み出し、読み出されたコンテンツを、ディスプレイ装置１２と共通の暗号キーを用いて暗号化し、ディスプレイ装置１２に送信する。本発明は、車内において、無線通信を用いてデータを通信する装置からなる無線通信システムに適用できる。【選択図】図１
2005175740.tif 000002
【特許請求の範囲】
【請求項１】
無線ネットワークに接続される第１の通信端末と第２の通信端末からなる車載通信システムにおいて、
前記第１の通信端末は、
前記第２の通信端末により要求されたコンテンツを読み出すコンテンツ読み出し手段と、
前記コンテンツ読み出し手段により読み出されたコンテンツを、車両に関する識別情報を作用させた第１のキーを用いて暗号化するコンテンツ暗号化手段と、
前記コンテンツ暗号化手段により暗号化されたコンテンツを、前記第２の通信端末に送信するコンテンツ送信手段とを備え、
前記第２の通信端末は、
前記第１の通信端末より送信されたコンテンツを受信するコンテンツ受信手段と、
前記コンテンツ受信手段により受信されたコンテンツを前記第１のキーを用いて復号するコンテンツ復号手段と、
前記コンテンツ復号手段により復号されたコンテンツの出力を制御する出力制御手段とを備える
ことを特徴とする車載通信システム。
【請求項２】
前記識別情報は、車両の製造番号、車両のナンバープレート、エンジンキーの番号、または、ユーザの免許証番号である
ことを特徴とする請求項１に記載の車載通信システム。
【請求項３】
前記第１の通信端末は、
前記第２の通信端末から送信された前記識別情報を受信する識別情報受信手段と、
前記識別情報受信手段により受信された前記識別情報を作用させて、前記第１のキーを生成する生成手段と、
前記生成手段により生成された前記第１のキーを、前記第２の通信端末に送信するキー送信手段とをさらに備え、
前記第２の通信端末は、
ユーザの操作に基づいて、前記識別情報を入力する入力手段と、
前記入力手段により入力された前記識別情報の送信が指示されたか否かを判断する入力判断手段と、
前記第１の通信端末が所定の近接範囲内に配置されているか否かを判断する位置判断手段と、
前記入力判断手段により前記識別情報の送信が指示されたと判断され、かつ、前記位置判断手段により前記第１の通信端末が所定の近接範囲内に配置されていると判断された場合、前記識別情報を前記第１の通信端末に送信する識別情報送信手段と、
前記第１の通信端末から送信されてくる前記第１のキーを受信するキー受信手段とをさらに備える
ことを特徴とする請求項１に記載の車載通信システム。
【請求項４】
前記第１の通信端末は、
予め前記識別情報を記憶する識別情報記憶手段と、
前記識別情報記憶手段に記憶される前記識別情報を作用させて、前記第１のキーを生成する第１の生成手段とをさらに備え、
前記第２の通信端末は、
ユーザの操作に基づいて、前記識別情報を入力する入力手段と、
前記入力手段により入力された前記識別情報を作用させて、前記第１のキーを生成する第２の生成手段とをさらに備える
ことを特徴とする請求項１に記載の車載通信システム。
【請求項５】
前記第１の通信端末は、
暗号化に使用される第２のキーを予め記憶する第１のキー記憶手段と、
前記第２の通信端末からの前記識別情報を前記第２のキーを用いて復号する識別情報復号手段と、
前記第１のキー記憶手段に記憶されている前記第２のキーを、前記識別情報復号手段により復号された前記識別情報を作用させた前記第１のキーに書き換える第１の書き換え手段とをさらに備え、
前記第２の通信端末は、
前記第２のキーを予め記憶する第２のキー記憶手段と、
ユーザの操作に基づいて、前記識別情報を入力する入力手段と、
前記入力手段により入力された前記識別情報を、前記第２のキーを用いて暗号化する識別情報暗号化手段と、
前記識別情報暗号化手段により暗号化された前記識別情報を、前記第１の通信端末に送信する識別情報送信手段と、
前記キー記憶手段に記憶されている前記第２のキーを、前記入力手段により入力された前記識別情報を作用させた前記第１のキーに書き換える第２の書き換え手段とをさらに備え、
前記コンテンツ暗号化手段およびコンテンツ復号手段は、前記第１および第２の書き換え手段により前記第２のキーが前記第１のキーに書き換えられる前には、前記第２のキーを用いて前記コンテンツを処理し、前記第１および第２の書き換え手段により前記第２のキーが前記第１のキーに書き換えられた後に、前記第１のキーを用いて前記コンテンツを処理する
ことを特徴とする請求項１に記載の車載通信システム。
【請求項６】
前記第１の通信端末は、
前記第２の通信端末から、ユーザ専用の前記識別情報を受信するユーザ識別情報受信手段と、
前記ユーザ識別情報受信手段により受信された前記ユーザ専用の識別情報を作用させて、前記第１のキーを生成する生成手段と、
前記ユーザ識別情報受信手段により受信された前記ユーザ専用の識別情報に基づいて、前記コンテンツ読み出し手段により読み出されるコンテンツを制限するコンテンツ制限手段とをさらに備え、
前記第２の通信端末は、
自己に装着される記録媒体よりユーザ情報を読み出すユーザ情報読み出し手段と、
前記ユーザ情報読み出し手段により読み出された前記ユーザ情報に基づいて、メモリから前記ユーザ専用の識別情報を読み出す識別情報読み出し手段と、
前記識別情報読み出し手段により読み出された前記ユーザ専用の識別情報を前記第１の通信端末に送信する識別情報送信手段とをさらに備える
ことを特徴とする請求項１に記載の車載通信システム。
【請求項７】
前記第１の通信端末は、
前記第２の通信端末との間で通信されるコンテンツの伝送レートの合計を計算する計算手段と、
前記計算手段により計算された前記伝送レートの合計が前記無線ネットワークの伝送能力を超えているか否かを判断する能力判断手段と、
前記能力判断手段により前記伝送レートの合計が前記無線ネットワークの伝送能力を超えていると判断された場合、前記コンテンツ送信手段により送信されるコンテンツの伝送レートを、前記コンテンツの優先度に応じて変更する伝送レート変更手段とをさらに備える
ことを特徴とする請求項１に記載の車載通信システム。
【請求項８】
前記第１の通信端末は、
前記コンテンツ送信手段により送信されるコンテンツのデータ容量を計測する容量計測手段をさらに備え、
前記計算手段は、前記容量計測手段により計測された前記データ容量の情報に基づいて、前記第２の通信端末との間で通信されるコンテンツの伝送レートの合計を計算する
ことを特徴とする請求項７に記載の車載通信システム。
【請求項９】
前記第１の通信端末は、
前記第２の通信端末から送信された前記データ容量の情報を受信するデータ情報受信手段をさらに備え、
前記計算手段は、前記データ情報受信手段により受信された前記データ容量の情報に基づいて、前記第２の通信端末との間で通信されるコンテンツの伝送レートの合計を計算し、
前記第２の通信端末は、
前記コンテンツ受信手段により受信されたコンテンツのデータ容量を計測する容量計測手段と、
前記容量計測手段により計測された前記データ容量の情報を前記第１の通信端末に送信するデータ情報送信手段とをさらに備える
ことを特徴とする請求項７に記載の車載通信システム。
【請求項１０】
無線ネットワークに接続される第１の通信端末と第２の通信端末からなる車載通信システムの通信方法において、
前記第１の通信端末の通信方法は、
前記第２の通信端末により要求されたコンテンツを読み出し、読み出されたコンテンツを、車両に関する識別情報を作用させたキーを用いて暗号化し、暗号化されたコンテンツを、前記第２の通信端末に送信し、
前記第２の通信端末の通信方法は、
前記第１の通信端末から送信されたコンテンツを受信し、受信されたコンテンツを前記キーを用いて復号し、復号されたコンテンツの出力を制御する
ことを特徴とする通信方法。
【請求項１１】
無線ネットワークに接続される他の車載通信端末と通信を行う車載通信端末において、
前記他の車載通信端末により要求されたコンテンツを読み出すコンテンツ読み出し手段と、
前記コンテンツ読み出し手段により読み出されたコンテンツを、車両に関する識別情報を作用させた第１のキーを用いて暗号化するコンテンツ暗号化手段と、
前記コンテンツ暗号化手段により暗号化されたコンテンツを、前記他の車載通信端末に送信するコンテンツ送信手段と
を備えることを特徴とする車載通信端末。
【請求項１２】
前記識別情報は、車両の製造番号、車両のナンバープレート、エンジンキーの番号、または、ユーザの免許証番号である
ことを特徴とする請求項１１に記載の車載通信端末。
【請求項１３】
所定の近接範囲内に配置された前記他の車載通信端末より送信される前記識別情報を受信する識別情報受信手段と、
前記識別情報受信手段により受信された前記識別情報に基づいて、前記第１のキーを生成する生成手段と、
前記生成手段により生成された前記第１のキーを、前記他の車載通信端末に送信するキー送信手段と
をさらに備えることを特徴とする請求項１１に記載の車載通信端末。
【請求項１４】
予め前記識別情報を記憶する識別情報記憶手段と、
前記識別情報記憶手段に記憶される前記識別情報に基づいて、前記第１のキーを生成する生成手段と
をさらに備えることを特徴とする請求項１１に記載の車載通信端末。
【請求項１５】
暗号化に使用される第２のキーを予め記憶するキー記憶手段と、
前記他の車載通信端末により前記第２のキーを用いて暗号化され、送信された前記識別情報を受信する識別情報受信手段と、
前記識別情報受信手段により受信された前記識別情報を前記第２のキーを用いて復号する識別情報復号手段と、
前記キー記憶手段に記憶されている前記第２のキーを、前記識別情報復号手段により復号された前記識別情報を作用させた前記第１のキーに書き換える書き換え手段と
をさらに備え、
前記コンテンツ暗号化手段は、前記書き換え手段により前記第２のキーが前記第１のキーに書き換えられる前には、前記コンテンツを、前記第２のキーを用いて暗号化し、前記書き換え手段により前記第２のキーが前記第１のキーに書き換えられた後に、前記コンテンツを、前記第１のキーを用いて暗号化する
ことを特徴とする請求項１１に記載の車載通信端末。
【請求項１６】
前記他の車載通信端末から、ユーザ専用の前記識別情報を受信するユーザ識別情報受信手段と、
前記ユーザ識別情報受信手段により受信された前記ユーザ専用の識別情報を作用させて、前記第１のキーを生成する生成手段と、
前記ユーザ識別情報受信手段により受信された前記ユーザ専用の識別情報に基づいて、前記コンテンツ読み出し手段により読み出されるコンテンツを制限するコンテンツ制限手段と
をさらに備えることを特徴とする請求項１１に記載の車載通信端末。
【請求項１７】
前記他の車載通信端末との間で通信されるコンテンツの伝送レートの合計を計算する計算手段と、
前記計算手段により計算された前記伝送レートの合計が前記無線ネットワークの伝送能力を超えているか否かを判断する能力判断手段と、
前記能力判断手段により前記伝送レートの合計が前記無線ネットワークの伝送能力を超えていると判断された場合、前記コンテンツ送信手段により送信されるコンテンツの伝送レートを、前記コンテンツの優先度に応じて変更する伝送レート変更手段と
をさらに備えることを特徴とする請求項１１に記載の車載通信端末。
【請求項１８】
前記コンテンツ送信手段により送信されるコンテンツのデータ容量を計測する容量計測手段をさらに備え、
前記計算手段は、前記容量計測手段により計測された前記データ容量の情報に基づいて、前記他の車載通信端末との間で通信されるコンテンツの伝送レートの合計を計算する
ことを特徴とする請求項１７に記載の車載通信端末。
【請求項１９】
前記コンテンツ送信手段により送信されたコンテンツを受信した前記他の車載通信端末により、計測され、送信される前記コンテンツのデータ容量の情報を受信するデータ情報受信手段をさらに備え、
前記計算手段は、前記データ情報受信手段により受信された前記データ容量の情報に基づいて、前記他の車載通信端末との間で通信されるコンテンツの伝送レートの合計を計算する
ことを特徴とする請求項１７に記載の車載通信端末。
【請求項２０】
無線ネットワークに接続される他の車載通信端末と通信を行う車載通信装置の通信方法において、
前記他の車載通信端末により要求されたコンテンツを読み出すコンテンツ読み出しステップと、
前記コンテンツ読み出しステップの処理により読み出されたコンテンツを、車両に関する識別情報を作用させたキーを用いて暗号化するコンテンツ暗号化ステップと、
前記コンテンツ暗号化ステップの処理により暗号化されたコンテンツを、前記他の車載通信端末に送信するコンテンツ送信ステップと
を含むことを特徴とする通信方法。
【請求項２１】
無線ネットワークに接続される車載通信端末と通信を行う処理をコンピュータに行わせるプログラムが記録されるプログラム記録媒体であって、
前記車載通信端末により要求されたコンテンツを読み出すコンテンツ読み出しステップと、
前記コンテンツ読み出しステップの処理により読み出されたコンテンツを、車両に関する識別情報を作用させたキーを用いて暗号化するコンテンツ暗号化ステップと、
前記コンテンツ暗号化ステップの処理により暗号化されたコンテンツを、前記車載通信端末に送信するコンテンツ送信ステップと
を含むことを特徴とするプログラムが記録されるプログラム記録媒体。
【請求項２２】
無線ネットワークに接続される車載通信端末と通信を行う処理をコンピュータに行わせるプログラムであって、
前記車載通信端末により要求されたコンテンツを読み出すコンテンツ読み出しステップと、
前記コンテンツ読み出しステップの処理により読み出されたコンテンツを、車両に関する識別情報を作用させたキーを用いて暗号化するコンテンツ暗号化ステップと、
前記コンテンツ暗号化ステップの処理により暗号化されたコンテンツを、前記車載通信端末に送信するコンテンツ送信ステップと
を含むことを特徴とするプログラム。
【請求項２３】
無線ネットワークに接続される他の車載通信端末と通信を行う車載通信端末において、
車両に関する識別情報を作用させた第１のキーを用いて、前記他の車載通信端末により、暗号化され、送信されたコンテンツを受信するコンテンツ受信手段と、
前記コンテンツ受信手段により受信されたコンテンツを前記第１のキーを用いて復号するコンテンツ復号手段と、
前記コンテンツ復号手段により復号されたコンテンツの出力を制御する出力制御手段と
を備えることを特徴とする車載通信端末。
【請求項２４】
前記識別情報は、車両の製造番号、車両のナンバープレート、エンジンキーの番号、または、ユーザの免許証番号である
ことを特徴とする請求項２３に記載の車載通信端末。
【請求項２５】
ユーザの操作に基づいて、前記識別情報を入力する入力手段と、
前記入力手段により入力された前記識別情報の送信が指示されたか否かを判断する入力判断手段と、
前記他の車載通信端末が所定の近接範囲内に配置されているか否かを判断する位置判断手段と、
前記入力判断手段により前記識別情報の送信が指示されたと判断され、かつ、前記位置判断手段により前記他の車載通信端末が所定の近接範囲内に配置されていると判断された場合、前記識別情報を前記他の車載通信端末に送信する識別情報送信手段と、
前記他の車載通信端末により前記識別情報を作用させて生成され、送信された前記第１のキーを受信するキー受信手段と
をさらに備えることを特徴とする請求項２３に記載の車載通信端末。
【請求項２６】
ユーザの操作に基づいて、前記識別情報を入力する入力手段と、
前記入力手段により入力された前記識別情報に基づいて、前記第１のキーを生成する生成手段と
をさらに備えることを特徴とする請求項２３に記載の車載通信端末。
【請求項２７】
暗号化に使用される第２のキーを予め記憶するキー記憶手段と、
ユーザの操作に基づいて、前記識別情報を入力する入力手段と、
前記入力手段により入力された前記識別情報を、前記第２のキーを用いて暗号化する識別情報暗号化手段と、
前記識別情報暗号化手段により暗号化された前記識別情報を、前記他の車載通信端末に送信する識別情報送信手段と、
前記キー記憶手段に記憶されている前記第２のキーを、前記入力手段により入力された前記識別情報を作用させた前記第１のキーに書き換える書き換え手段と
をさらに備え、
前記コンテンツ復号手段は、前記書き換え手段により前記第２のキーが前記第１のキーに書き換えられる前には、前記コンテンツを、前記第２のキーを用いて復号し、前記書き換え手段により前記第２のキーが前記第１のキーに書き換えられた後に、前記コンテンツを、前記第１のキーを用いて復号する
ことを特徴とする請求項２３に記載の車載通信端末。
【請求項２８】
自己に装着される記録媒体よりユーザ情報を読み出すユーザ情報読み出し手段と、
前記ユーザ情報読み出し手段により読み出された前記ユーザ情報に基づいて、メモリから、ユーザを識別するためのユーザ専用の前記識別情報を読み出す情報読み出し手段と、
前記情報読み出し手段により読み出された前記ユーザ専用の識別情報を前記他の車載通信端末に送信する識別情報送信手段とをさらに備え、
前記コンテンツ受信手段は、前記他の車載通信端末による前記ユーザ専用の識別情報に基づいた認証の結果、読み出しが制限されていないコンテンツのみを受信する
ことを特徴とする請求項２３に記載の車載通信端末。
【請求項２９】
前記コンテンツ受信手段により受信されたコンテンツのデータ容量を計測する容量計測手段と、
前記容量計測手段により計測された前記データ容量の情報を前記他の車載通信端末に送信するデータ情報送信手段とをさらに備え、
前記コンテンツ受信手段は、前記他の車載通信端末により前記データ容量の情報に基づいて伝送レートが変更されたコンテンツを受信する
ことを特徴とする請求項２３に記載の車載通信端末。
【請求項３０】
無線ネットワークに接続される他の車載通信端末と通信を行う車載通信端末の通信方法において、
車両に関する識別情報を作用させたキーを用いて、前記他の車載通信端末により、暗号化され、送信されたコンテンツを受信するコンテンツ受信ステップと、
前記コンテンツ受信ステップの処理により受信されたコンテンツを前記キーを用いて復号するコンテンツ復号ステップと、
前記コンテンツ復号手段により復号されたコンテンツの出力を制御する出力制御ステップと
を含むことを特徴とする通信方法。
【請求項３１】
無線ネットワークに接続される車載通信端末と通信を行う処理をコンピュータに行わせるプログラムが記録されるプログラム記録媒体であって、
車両に関する識別情報を作用させたキーを用いて、前記車載通信端末により、暗号化され、送信されたコンテンツを受信するコンテンツ受信ステップと、
前記コンテンツ受信ステップの処理により受信されたコンテンツを前記キーを用いて復号するコンテンツ復号ステップと、
前記コンテンツ復号手段により復号されたコンテンツの出力を制御する出力制御ステップと
を含むことを特徴とするプログラムが記録されるプログラム記録媒体。
【請求項３２】
無線ネットワークに接続される車載通信端末と通信を行う処理をコンピュータに行わせるプログラムであって、
車両に関する識別情報を作用させたキーを用いて、前記車載通信端末により、暗号化され、送信されたコンテンツを受信するコンテンツ受信ステップと、
前記コンテンツ受信ステップの処理により受信されたコンテンツを前記キーを用いて復号するコンテンツ復号ステップと、
前記コンテンツ復号手段により復号されたコンテンツの出力を制御する出力制御ステップと
を含むことを特徴とするプログラム。
【発明の詳細な説明】
【技術分野】
【０００１】
本発明は、車載通信システムおよび通信方法、車載通信端末および通信方法、プログラム記録媒体、並びにプログラムに関し、特に、車内において、ネットワークを安全かつ好適に使用することができるようにした車載通信システムおよび通信方法、車載通信端末および通信方法、プログラム記録媒体、並びにプログラムに関する。
【背景技術】
【０００２】
従来、車載用のＡＶ(Audio Visual)装置を設置する場合には、それぞれの機材を電線で結ぶ必要があり、車内での設置に多大な労力を必要とした。また、電線を接続することにより、設置場所制限が発生し、自由な車内空間の構築が困難であった。
【０００３】
これに対して、パーソナルコンピュータなどの分野で使用されている無線通信機能を用いて、ＡＶ機器を接続することが考えられる（特許文献１参照）。
【０００４】
【特許文献１】特開平１０−３２５７９公報
【発明の開示】
【発明が解決しようとする課題】
【０００５】
しかしながら、車内の通信に、上述したような無線通信機能を用いてしまうと、車外に電波が漏れてしまい、盗聴される課題があった。
【０００６】
本発明は、このような状況に鑑みてなされたものであり、車内ネットワークを安全かつ好適に使用することができるようにするものである。
【課題を解決するための手段】
【０００７】
本発明の車載通信システムは、第１の通信端末は、第２の通信端末により要求されたコンテンツを読み出すコンテンツ読み出し手段と、コンテンツ読み出し手段により読み出されたコンテンツを、車両に関する識別情報を作用させた第１のキーを用いて暗号化するコンテンツ暗号化手段と、コンテンツ暗号化手段により暗号化されたコンテンツを、第２の通信端末に送信するコンテンツ送信手段とを備え、第２の通信端末は、第１の通信端末より送信されたコンテンツを受信するコンテンツ受信手段と、コンテンツ受信手段により受信されたコンテンツを第１のキーを用いて復号するコンテンツ復号手段と、コンテンツ復号手段により復号されたコンテンツの出力を制御する出力制御手段とを備えることを特徴とする。
【０００８】
識別情報は、車両の製造番号、車両のナンバープレート、エンジンキーの番号、または、ユーザの免許証番号であるようにすることができる。
【０００９】
第１の通信端末は、第２の通信端末から送信された識別情報を受信する識別情報受信手段と、識別情報受信手段により受信された識別情報を作用させて、第１のキーを生成する生成手段と、生成手段により生成された第１のキーを、第２の通信端末に送信するキー送信手段とをさらに備え、第２の通信端末は、ユーザの操作に基づいて、識別情報を入力する入力手段と、入力手段により入力された識別情報の送信が指示されたか否かを判断する入力判断手段と、第１の通信端末が所定の近接範囲内に配置されているか否かを判断する位置判断手段と、入力判断手段により識別情報の送信が指示されたと判断され、かつ、位置判断手段により第１の通信端末が所定の近接範囲内に配置されていると判断された場合、識別情報を第１の通信端末に送信する識別情報送信手段と、第１の通信端末から送信されてくる第１のキーを受信するキー受信手段とをさらに備えるようにすることができる。
【００１０】
第１の通信端末は、予め識別情報を記憶する識別情報記憶手段と、識別情報記憶手段に記憶される識別情報を作用させて、第１のキーを生成する第１の生成手段とをさらに備え、第２の通信端末は、ユーザの操作に基づいて、識別情報を入力する入力手段と、入力手段により入力された識別情報を作用させて、第１のキーを生成する第２の生成手段とをさらに備えるようにすることができる。
【００１１】
第１の通信端末は、暗号化に使用される第２のキーを予め記憶する第１のキー記憶手段と、第２の通信端末からの識別情報を第２のキーを用いて復号する識別情報復号手段と、第１のキー記憶手段に記憶されている第２のキーを、識別情報復号手段により復号された識別情報を作用させた第１のキーに書き換える第１の書き換え手段とをさらに備え、第２の通信端末は、第２のキーを予め記憶する第２のキー記憶手段と、ユーザの操作に基づいて、識別情報を入力する入力手段と、入力手段により入力された識別情報を、第２のキーを用いて暗号化する識別情報暗号化手段と、識別情報暗号化手段により暗号化された識別情報を、第１の通信端末に送信する識別情報送信手段と、キー記憶手段に記憶されている第２のキーを、入力手段により入力された識別情報を作用させた第１のキーに書き換える第２の書き換え手段とをさらに備え、コンテンツ暗号化手段およびコンテンツ復号手段は、第１および第２の書き換え手段により第２のキーが第１のキーに書き換えられる前には、第２のキーを用いてコンテンツを処理し、第１および第２の書き換え手段により第２のキーが第１のキーに書き換えられた後に、第１のキーを用いてコンテンツを処理するようにすることができる。
【００１２】
第１の通信端末は、第２の通信端末から、ユーザ専用の識別情報を受信するユーザ識別情報受信手段と、ユーザ識別情報受信手段により受信されたユーザ専用の識別情報を作用させて、第１のキーを生成する生成手段と、ユーザ識別情報受信手段により受信されたユーザ専用の識別情報に基づいて、コンテンツ読み出し手段により読み出されるコンテンツを制限するコンテンツ制限手段とをさらに備え、第２の通信端末は、自己に装着される記録媒体よりユーザ情報を読み出すユーザ情報読み出し手段と、ユーザ情報読み出し手段により読み出されたユーザ情報に基づいて、メモリからユーザ専用の識別情報を読み出す識別情報読み出し手段と、識別情報読み出し手段により読み出されたユーザ専用の識別情報を第１の通信端末に送信する識別情報送信手段とをさらに備えるようにすることができる。
【００１３】
第１の通信端末は、第２の通信端末との間で通信されるコンテンツの伝送レートの合計を計算する計算手段と、計算手段により計算された伝送レートの合計が無線ネットワークの伝送能力を超えているか否かを判断する能力判断手段と、能力判断手段により伝送レートの合計が無線ネットワークの伝送能力を超えていると判断された場合、コンテンツ送信手段により送信されるコンテンツの伝送レートを、コンテンツの優先度に応じて変更する伝送レート変更手段とをさらに備えるようにすることができる。
【００１４】
第１の通信端末は、コンテンツ送信手段により送信されるコンテンツのデータ容量を計測する容量計測手段をさらに備え、計算手段は、容量計測手段により計測されたデータ容量の情報に基づいて、第２の通信端末との間で通信されるコンテンツの伝送レートの合計を計算するようにすることができる。
【００１５】
第１の通信端末は、第２の通信端末から送信されたデータ容量の情報を受信するデータ情報受信手段をさらに備え、計算手段は、データ情報受信手段により受信されたデータ容量の情報に基づいて、第２の通信端末との間で通信されるコンテンツの伝送レートの合計を計算し、第２の通信端末は、コンテンツ受信手段により受信されたコンテンツのデータ容量を計測する容量計測手段と、容量計測手段により計測されたデータ容量の情報を第１の通信端末に送信するデータ情報送信手段とをさらに備えるようにすることができる。
【００１６】
本発明の第１の通信方法は、第１の通信端末の通信方法は、第２の通信端末により要求されたコンテンツを読み出し、読み出されたコンテンツを、車両に関する識別情報を作用させたキーを用いて暗号化し、暗号化されたコンテンツを、第２の通信端末に送信し、第２の通信端末の通信方法は、第１の通信端末から送信されたコンテンツを受信し、受信されたコンテンツをキーを用いて復号し、復号されたコンテンツの出力を制御することを特徴とする。
【００１７】
本発明の第１の車載通信端末は、他の車載通信端末により要求されたコンテンツを読み出すコンテンツ読み出し手段と、コンテンツ読み出し手段により読み出されたコンテンツを、車両に関する識別情報を作用させた第１のキーを用いて暗号化するコンテンツ暗号化手段と、コンテンツ暗号化手段により暗号化されたコンテンツを、他の車載通信端末に送信するコンテンツ送信手段とを備えることを特徴とする。
【００１８】
識別情報は、車両の製造番号、車両のナンバープレート、エンジンキーの番号、または、ユーザの免許証番号であるようにすることができる。
【００１９】
所定の近接範囲内に配置された他の車載通信端末より送信される識別情報を受信する識別情報受信手段と、識別情報受信手段により受信された識別情報に基づいて、第１のキーを生成する生成手段と、生成手段により生成された第１のキーを、他の車載通信端末に送信するキー送信手段とをさらに備えるようにすることができる。
【００２０】
予め識別情報を記憶する識別情報記憶手段と、識別情報記憶手段に記憶される識別情報に基づいて、第１のキーを生成する生成手段とをさらに備えるようにすることができる。
【００２１】
暗号化に使用される第２のキーを予め記憶するキー記憶手段と、他の車載通信端末により第２のキーを用いて暗号化され、送信された識別情報を受信する識別情報受信手段と、
識別情報受信手段により受信された識別情報を第２のキーを用いて復号する識別情報復号手段と、キー記憶手段に記憶されている第２のキーを、識別情報復号手段により復号された識別情報を作用させた第１のキーに書き換える書き換え手段とをさらに備え、コンテンツ暗号化手段は、書き換え手段により第２のキーが第１のキーに書き換えられる前には、コンテンツを、第２のキーを用いて暗号化し、書き換え手段により第２のキーが第１のキーに書き換えられた後に、コンテンツを、第１のキーを用いて暗号化するようにすることができる。
【００２２】
他の車載通信端末から、ユーザ専用の識別情報を受信するユーザ識別情報受信手段と、ユーザ識別情報受信手段により受信されたユーザ専用の識別情報を作用させて、第１のキーを生成する生成手段と、ユーザ識別情報受信手段により受信されたユーザ専用の識別情報に基づいて、コンテンツ読み出し手段により読み出されるコンテンツを制限するコンテンツ制限手段とをさらに備えるようにすることができる。
【００２３】
他の車載通信端末との間で通信されるコンテンツの伝送レートの合計を計算する計算手段と、計算手段により計算された伝送レートの合計が無線ネットワークの伝送能力を超えているか否かを判断する能力判断手段と、能力判断手段により伝送レートの合計が無線ネットワークの伝送能力を超えていると判断された場合、コンテンツ送信手段により送信されるコンテンツの伝送レートを、コンテンツの優先度に応じて変更する伝送レート変更手段とをさらに備えるようにすることができる。
【００２４】
コンテンツ送信手段により送信されるコンテンツのデータ容量を計測する容量計測手段をさらに備え、計算手段は、容量計測手段により計測されたデータ容量の情報に基づいて、他の車載通信端末との間で通信されるコンテンツの伝送レートの合計を計算するようにすることができる。
【００２５】
コンテンツ送信手段により送信されたコンテンツを受信した他の車載通信端末により、計測され、送信されるコンテンツのデータ容量の情報を受信するデータ情報受信手段をさらに備え、計算手段は、データ情報受信手段により受信されたデータ容量の情報に基づいて、他の車載通信端末との間で通信されるコンテンツの伝送レートの合計を計算するようにすることができる。
【００２６】
本発明の第２の通信方法は、他の車載通信端末により要求されたコンテンツを読み出すコンテンツ読み出しステップと、コンテンツ読み出しステップの処理により読み出されたコンテンツを、車両に関する識別情報を作用させたキーを用いて暗号化するコンテンツ暗号化ステップと、コンテンツ暗号化ステップの処理により暗号化されたコンテンツを、他の車載通信端末に送信するコンテンツ送信ステップとを含むことを特徴とする。
【００２７】
本発明の第１のプログラムが記録されるプログラム記録媒体は、車載通信端末により要求されたコンテンツを読み出すコンテンツ読み出しステップと、コンテンツ読み出しステップの処理により読み出されたコンテンツを、車両に関する識別情報を作用させたキーを用いて暗号化するコンテンツ暗号化ステップと、コンテンツ暗号化ステップの処理により暗号化されたコンテンツを、車載通信端末に送信するコンテンツ送信ステップとを含むことを特徴とする。
【００２８】
本発明の第１のプログラムは、車載通信端末により要求されたコンテンツを読み出すコンテンツ読み出しステップと、コンテンツ読み出しステップの処理により読み出されたコンテンツを、車両に関する識別情報を作用させたキーを用いて暗号化するコンテンツ暗号化ステップと、コンテンツ暗号化ステップの処理により暗号化されたコンテンツを、車載通信端末に送信するコンテンツ送信ステップとを含むことを特徴とする。
【００２９】
本発明の第２の車載通信端末は、車両に関する識別情報を作用させた第１のキーを用いて、他の車載通信端末により、暗号化され、送信されたコンテンツを受信するコンテンツ受信手段と、コンテンツ受信手段により受信されたコンテンツを第１のキーを用いて復号するコンテンツ復号手段と、コンテンツ復号手段により復号されたコンテンツの出力を制御する出力制御手段とを備えることを特徴とする。
【００３０】
識別情報は、車両の製造番号、車両のナンバープレート、エンジンキーの番号、または、ユーザの免許証番号であるようにすることができる。
【００３１】
ユーザの操作に基づいて、識別情報を入力する入力手段と、入力手段により入力された識別情報の送信が指示されたか否かを判断する入力判断手段と、他の車載通信端末が所定の近接範囲内に配置されているか否かを判断する位置判断手段と、入力判断手段により識別情報の送信が指示されたと判断され、かつ、位置判断手段により他の車載通信端末が所定の近接範囲内に配置されていると判断された場合、識別情報を他の車載通信端末に送信する識別情報送信手段と、他の車載通信端末により識別情報を作用させて生成され、送信された第１のキーを受信するキー受信手段とをさらに備えるようにすることができる。
【００３２】
ユーザの操作に基づいて、識別情報を入力する入力手段と、入力手段により入力された識別情報に基づいて、第１のキーを生成する生成手段とをさらに備えるようにすることができる。
【００３３】
暗号化に使用される第２のキーを予め記憶するキー記憶手段と、ユーザの操作に基づいて、識別情報を入力する入力手段と、入力手段により入力された識別情報を、第２のキーを用いて暗号化する識別情報暗号化手段と、識別情報暗号化手段により暗号化された識別情報を、他の車載通信端末に送信する識別情報送信手段と、キー記憶手段に記憶されている第２のキーを、入力手段により入力された識別情報を作用させた第１のキーに書き換える書き換え手段とをさらに備え、コンテンツ復号手段は、書き換え手段により第２のキーが第１のキーに書き換えられる前には、コンテンツを、第２のキーを用いて復号し、書き換え手段により第２のキーが第１のキーに書き換えられた後に、コンテンツを、第１のキーを用いて復号するようにすることができる。
【００３４】
自己に装着される記録媒体よりユーザ情報を読み出すユーザ情報読み出し手段と、ユーザ情報読み出し手段により読み出されたユーザ情報に基づいて、メモリから、ユーザを識別するためのユーザ専用の識別情報を読み出す情報読み出し手段と、情報読み出し手段により読み出されたユーザ専用の識別情報を他の車載通信端末に送信する識別情報送信手段とをさらに備え、コンテンツ受信手段は、他の車載通信端末によるユーザ専用の識別情報に基づいた認証の結果、読み出しが制限されていないコンテンツのみを受信するようにすることができる。
【００３５】
コンテンツ受信手段により受信されたコンテンツのデータ容量を計測する容量計測手段と、容量計測手段により計測されたデータ容量の情報を他の車載通信端末に送信するデータ情報送信手段とをさらに備え、コンテンツ受信手段は、他の車載通信端末によりデータ容量の情報に基づいて伝送レートが変更されたコンテンツを受信するようにすることができる。
【００３６】
本発明の第３の通信方法は、車両に関する識別情報を作用させたキーを用いて、他の車載通信端末により、暗号化され、送信されたコンテンツを受信するコンテンツ受信ステップと、コンテンツ受信ステップの処理により受信されたコンテンツをキーを用いて復号するコンテンツ復号ステップと、コンテンツ復号手段により復号されたコンテンツの出力を制御する出力制御ステップとを含むことを特徴とする。
【００３７】
本発明の第２のプログラムが記録されるプログラム記録媒体は、車両に関する識別情報を作用させたキーを用いて、車載通信端末により、暗号化され、送信されたコンテンツを受信するコンテンツ受信ステップと、コンテンツ受信ステップの処理により受信されたコンテンツをキーを用いて復号するコンテンツ復号ステップと、コンテンツ復号手段により復号されたコンテンツの出力を制御する出力制御ステップとを含むことを特徴とする。
【００３８】
本発明の第２のプログラムは、車両に関する識別情報を作用させたキーを用いて、車載通信端末により、暗号化され、送信されたコンテンツを受信するコンテンツ受信ステップと、コンテンツ受信ステップの処理により受信されたコンテンツをキーを用いて復号するコンテンツ復号ステップと、コンテンツ復号手段により復号されたコンテンツの出力を制御する出力制御ステップとを含むことを特徴とする。
【００３９】
第１の本発明においては、第１の通信端末および通信方法により、第２の通信端末により要求されたコンテンツが読み出され、読み出されたコンテンツが、車両に関する識別情報を作用させたキーを用いて暗号化され、暗号化されたコンテンツが、第２の通信端末に送信される。そして、第２の通信端末および通信方法により、第１の通信端末より送信されたコンテンツが受信され、受信されたコンテンツがキーを用いて復号され、復号されたコンテンツの出力が制御される。
【００４０】
第２の本発明においては、車載通信端末により要求されたコンテンツが読み出され、読み出されたコンテンツが、車両に関する識別情報を作用させたキーを用いて暗号化され、暗号化されたコンテンツが、車載通信端末に送信される。
【００４１】
第３の本発明においては、車両に関する識別情報を作用させたキーを用いて、他の車載通信端末により、暗号化され、送信されたコンテンツが受信され、受信されたコンテンツがキーを用いて復号され、復号されたコンテンツの出力が制御される。
【００４２】
ネットワークとは、少なくとも２つの装置が有線、または無線により接続され、ある装置から、他の装置に対して、情報の伝達をできるようにした仕組みをいう。ネットワークを介して通信する装置は、独立した装置どうしであってもよいし、１つの装置を構成している内部ブロックどうしであってもよい。
【００４３】
また、通信とは、無線通信および有線通信は勿論、無線通信と有線通信とが混在した通信、すなわち、ある区間では無線通信が行われ、他の区間では有線通信が行われるようなものであってもよい。さらに、ある装置から他の装置への通信が有線通信で行われ、他の装置からある装置への通信が無線通信で行われるようなものであってもよい。
【発明の効果】
【００４４】
本発明によれば、車内において、ネットワークを安全かつ好適に使用することができる。また、本発明によれば、ネットワークを車内に適するように効率的に使用することができる。
【発明を実施するための最良の形態】
【００４５】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。したがって、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００４６】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００４７】
請求項１に記載の車載通信システム（例えば、図１の無線通信システム１）は、第１の通信端末（例えば、図１のコンテンツサーバ１１）は、第２の通信端末により要求されたコンテンツを読み出すコンテンツ読み出し手段（例えば、図７のステップＳ４１の処理を実行する図２の受信部４２）と、コンテンツ読み出し手段により読み出されたコンテンツを、車両に関する識別情報（例えば、図３の鍵生成情報７１）を作用させた第１のキーを用いて暗号化するコンテンツ暗号化手段（例えば、図２の暗号化部３２）と、コンテンツ暗号化手段により暗号化されたコンテンツを、第２の通信端末に送信するコンテンツ送信手段（例えば、図７のステップＳ４３の処理を実行する図２の送信部４１）とを備え、第２の通信端末（例えば、図１のディスプレイ装置１２−１）は、第１の通信端末より送信されたコンテンツを受信するコンテンツ受信手段（例えば、図３の受信部６２）と、コンテンツ受信手段により受信されたコンテンツを第１のキーを用いて復号するコンテンツ復号手段（例えば、図３の復号部５２）と、コンテンツ復号手段により復号されたコンテンツの出力を制御する出力制御手段（例えば、図３の表示制御部５４）とを備えることを特徴とする。
【００４８】
請求項３に記載の車載通信システムは、第１の通信端末は、第２の通信端末から送信された識別情報（例えば、図３の鍵生成情報７１）を受信する識別情報受信手段（例えば、図５のステップＳ１４の処理を実行する図２の受信部４２）と、識別情報受信手段により受信された識別情報を作用させて、第１のキーを生成する生成手段（例えば、図２の鍵生成部３４）と、生成手段により生成された第１のキーを、第２の通信端末に送信するキー送信手段（例えば、図５のステップＳ１６の処理を実行する図２の送信部４１）とをさらに備え、第２の通信端末は、ユーザの操作に基づいて、識別情報を入力する入力手段（例えば、図３の操作入力部５５）と、入力手段により入力された識別情報の送信が指示されたか否かを判断する入力判断手段（例えば、図４のステップＳ３の処理を実行する図３の送信部６１）と、第１の通信端末が所定の近接範囲内に配置されているか否かを判断する位置判断手段（例えば、図５のステップＳ５の処理を実行する図３の受信部６２）と、入力判断手段により識別情報の送信が指示されたと判断され、かつ、位置判断手段により第１の通信端末が所定の近接範囲内に配置されていると判断された場合、識別情報を第１の通信端末に送信する識別情報送信手段（例えば、図５のステップＳ６の処理を実行する図３の送信部６１）と、第１の通信端末から送信されてくる第１のキーを受信するキー受信手段（例えば、図５のステップＳ７の処理を実行する図３の受信部６２）とをさらに備えることを特徴とする。
【００４９】
請求項４に記載の車載通信システムは、第１の通信端末（例えば、図８のコンテンツサーバ１１）は、予め識別情報を記憶する識別情報記憶手段（例えば、図８の鍵生成情報保存部９１）と、識別情報記憶手段に記憶される識別情報を作用させて、第１のキーを生成する第１の生成手段（例えば、図８の鍵生成部３４）とをさらに備え、第２の通信端末（例えば、図９のディスプレイ装置１２）は、ユーザの操作に基づいて、識別情報（例えば、図９の鍵生成情報７１）を入力する入力手段（例えば、図９の操作入力部５５）と、入力手段により入力された識別情報を作用させて、第１のキーを生成する第２の生成手段（例えば、図９の鍵生成部１０１）とをさらに備えることを特徴とする。
【００５０】
請求項５に記載の車載通信システムは、第１の通信端末（例えば、図１０のコンテンツサーバ１１）は、暗号化に使用される第２のキーを予め記憶する第１のキー記憶手段（例えば、図１０のメモリ４３）と、第２の通信端末からの識別情報を第２のキーを用いて復号する識別情報復号手段（例えば、図１３のステップＳ１２２の処理を実行する図１０の暗号化部３２）と、第１のキー記憶手段に記憶されている第２のキーを、識別情報復号手段により復号された識別情報を作用させた第１のキー（例えば、図１０の暗号キー１３１）に書き換える第１の書き換え手段（例えば、図１０のキー変更部１２１）とをさらに備え、第２の通信端末（例えば、図１１のディスプレイ装置１２）は、第２のキーを予め記憶する第２のキー記憶手段（例えば、図１１のメモリ６３）と、ユーザの操作に基づいて、識別情報を入力する入力手段（例えば、図１１の操作入力部５５）と、入力手段により入力された識別情報を、第２のキーを用いて暗号化する識別情報暗号化手段（例えば、図１１の暗号化部１４２）と、識別情報暗号化手段により暗号化された識別情報を、第１の通信端末に送信する識別情報送信手段（例えば、図１１の送信部６１）と、キー記憶手段に記憶されている第２のキーを、入力手段により入力された識別情報を作用させた第１のキー（例えば、図１１の暗号キー１５１）に書き換える第２の書き換え手段（例えば、図１１のキー変更部１４１）とをさらに備え、コンテンツ暗号化手段（例えば、図１０の暗号化部３２）およびコンテンツ復号手段（例えば、図１１の暗号化部１４２）は、第１および第２の書き換え手段により第２のキーが第１のキーに書き換えられる前には、第２のキーを用いてコンテンツを処理し、第１および第２の書き換え手段により第２のキーが第１のキーに書き換えられた後に、第１のキーを用いてコンテンツを処理することを特徴とする。
【００５１】
請求項６に記載の車載通信システムは、第１の通信端末（例えば、図１４のコンテンツサーバ１１）は、第２の通信端末から、ユーザ専用の識別情報を受信するユーザ識別情報受信手段（例えば、図１７のステップＳ１７１の処理を実行する図１４の受信部４２）と、ユーザ識別情報受信手段により受信されたユーザ専用の識別情報を作用させて、第１のキーを生成する生成手段（例えば、図１７のステップＳ１７４の処理を実行する図１４の暗号化部３２）と、ユーザ識別情報受信手段により受信されたユーザ専用の識別情報に基づいて、コンテンツ読み出し手段により読み出されるコンテンツを制限するコンテンツ制限手段（例えば、図１４の選択部１６２）とをさらに備え、第２の通信端末（例えば、図１５のディスプレイ装置１２）は、自己に装着される記録媒体（例えば、図１５のカード１７１）よりユーザ情報を読み出すユーザ情報読み出し手段（例えば、図１５のカードリーダ１８１）と、ユーザ情報読み出し手段により読み出されたユーザ情報に基づいて、メモリからユーザ専用の識別情報を読み出す識別情報読み出し手段（例えば、図１５の認証部１８２）と、識別情報読み出し手段により読み出されたユーザ専用の識別情報を第１の通信端末に送信する識別情報送信手段（例えば、図１６のステップＳ１５５の処理を実行する図１５の送信部６１）とをさらに備えることを特徴とする。
【００５２】
請求項７に記載の車載通信システムは、第１の通信端末（例えば、図１８のコンテンツサーバ１１）は、第２の通信端末との間で通信されるコンテンツの伝送レートの合計を計算する計算手段（例えば、図２０のステップＳ２０３の処理を実行する図１８の伝送レート測定部２０２）と、計算手段により計算された伝送レートの合計が無線ネットワークの伝送能力を超えているか否かを判断する能力判断手段（例えば、図２０のステップＳ２０４の処理を実行する図１８の伝送レート測定部２０２）と、能力判断手段により伝送レートの合計が無線ネットワークの伝送能力を超えていると判断された場合、コンテンツ送信手段により送信されるコンテンツの伝送レートを、コンテンツの優先度に応じて変更する伝送レート変更手段（例えば、図１８の伝送レート変換部２０１）とをさらに備えることを特徴とする。
【００５３】
請求項８に記載の車載通信システムは、第１の通信端末は、コンテンツ送信手段により送信されるコンテンツのデータ容量を計測する容量計測手段（例えば、図２０のステップＳ２０２の処理を実行する図１８の伝送レート測定部２０２）をさらに備え、計算手段は、容量計測手段により計測されたデータ容量の情報に基づいて、第２の通信端末との間で通信されるコンテンツの伝送レートの合計を計算することを特徴とする。
【００５４】
請求項９に記載の車載通信システムは、第１の通信端末（例えば、図２２のコンテンツサーバ１１）は、第２の通信端末から送信されたデータ容量の情報を受信するデータ情報受信手段（例えば、図２２の受信部４２）をさらに備え、計算手段（例えば、図２２の帯域計算部２２２）は、データ情報受信手段により受信されたデータ容量の情報に基づいて、第２の通信端末との間で通信されるコンテンツの伝送レートの合計を計算し、第２の通信端末（例えば、図２３のディスプレイ装置１２）は、コンテンツ受信手段により受信されたコンテンツのデータ容量を計測する容量計測手段（例えば、図２３のデータ測定部２４１）と、容量計測手段により計測されたデータ容量の情報を第１の通信端末に送信するデータ情報送信手段（例えば、図２３の送信部６１）とをさらに備えることを特徴とする。
【００５５】
請求項１０に記載の通信方法は、第１の通信端末の通信方法は、第２の通信端末により要求されたコンテンツを読み出し（例えば、図７のステップＳ４１）、読み出されたコンテンツを、車両に関する識別情報を作用させたキーを用いて暗号化し（例えば、図７のステップＳ４２）、暗号化されたコンテンツを、第２の通信端末に送信し（例えば、図７のステップＳ４３）、第２の通信端末の通信方法は、第１の通信端末から送信されたコンテンツを受信し（例えば、図７のステップＳ３２）、受信されたコンテンツをキーを用いて復号し（例えば、図７のステップＳ３３）、復号されたコンテンツの出力を制御する（例えば、図７のステップＳ３４）ことを特徴とする。
【００５６】
請求項１１に記載の車載通信端末（例えば、図１のコンテンツサーバ１１）は、他の車載通信端末（例えば、図１のディスプレイ装置１２−１）により要求されたコンテンツを読み出すコンテンツ読み出し手段（例えば、図７のステップＳ４１の処理を実行する図２の受信部４２）と、コンテンツ読み出し手段により読み出されたコンテンツを、車両に関する識別情報（例えば、図３の鍵生成情報７１）を作用させた第１のキーを用いて暗号化するコンテンツ暗号化手段（例えば、図２の暗号化部３２）と、コンテンツ暗号化手段により暗号化されたコンテンツを、他の車載通信端末に送信するコンテンツ送信手段（例えば、図７のステップＳ４３の処理を実行する図２の送信部４１）とを備えることを特徴とする。
【００５７】
請求項１３に記載の車載通信端末は、所定の近接範囲内に配置された他の車載通信端末より送信される識別情報（例えば、図３の鍵生成情報７１）を受信する識別情報受信手段（例えば、図５のステップＳ１４の処理を実行する図２の受信部４２）と、識別情報受信手段により受信された識別情報に基づいて、第１のキーを生成する生成手段（例えば、図２の鍵生成部３４）と、生成手段により生成された第１のキーを、他の車載通信端末に送信するキー送信手段（例えば、図５のステップＳ１６の処理を実行する図２の送信部４１）とをさらに備えることを特徴とする。
【００５８】
請求項１４に記載の車載通信端末（例えば、図８のコンテンツサーバ１１）は、予め識別情報を記憶する識別情報記憶手段（例えば、図８の鍵生成情報保存部９１）と、識別情報記憶手段に記憶される識別情報に基づいて、第１のキーを生成する生成手段（例えば、図８の鍵生成部３４）とをさらに備えることを特徴とする。
【００５９】
請求項１５に記載の車載通信端末（例えば、図１０のコンテンツサーバ１１）は、暗号化に使用される第２のキーを予め記憶するキー記憶手段（例えば、図１０のメモリ４３）と、他の車載通信端末により第２のキーを用いて暗号化され、送信された識別情報を受信する識別情報受信手段（例えば、図１３のステップＳ１２１の処理を実行する図１０の受信部４２）と、識別情報受信手段により受信された識別情報を第２のキーを用いて復号する識別情報復号手段（例えば、図１３のステップＳ１２２の処理を実行する図１０の暗号化部３２）と、キー記憶手段に記憶されている第２のキーを、識別情報復号手段により復号された識別情報を作用させた第１のキー（例えば、図１０の暗号キー１３１）に書き換える書き換え手段（例えば、図１０のキー変更部１２１）とをさらに備え、コンテンツ暗号化手段（例えば、図１０の暗号化部３２）は、書き換え手段により第２のキーが第１のキーに書き換えられる前には、コンテンツを、第２のキーを用いて暗号化し、書き換え手段により第２のキーが第１のキーに書き換えられた後に、コンテンツを、第１のキーを用いて暗号化することを特徴とする。
【００６０】
請求項１６に記載の車載通信端末（例えば、図１４のコンテンツサーバ１１）は、他の車載通信端末（例えば、図１５のディスプレイ装置１２）から、ユーザ専用の識別情報を受信するユーザ識別情報受信手段（例えば、図１７のステップＳ１７１の処理を実行する図１４の受信部４２）と、ユーザ識別情報受信手段により受信されたユーザ専用の識別情報を作用させて、第１のキーを生成する生成手段（例えば、図１７のステップＳ１７４の処理を実行する図１４の暗号化部３２）と、ユーザ識別情報受信手段により受信されたユーザ専用の識別情報に基づいて、コンテンツ読み出し手段により読み出されるコンテンツを制限するコンテンツ制限手段（例えば、図１４の選択部１６２）とをさらに備えることを特徴とする。
【００６１】
請求項１７に記載の車載通信端末（例えば、図１８のコンテンツサーバ１１）は、他の車載通信端末との間で通信されるコンテンツの伝送レートの合計を計算する計算手段（例えば、図２０のステップＳ２０３の処理を実行する図１８の伝送レート測定部２０２）と、計算手段により計算された伝送レートの合計が無線ネットワークの伝送能力を超えているか否かを判断する能力判断手段（例えば、図２０のステップＳ２０４の処理を実行する図１８の伝送レート測定部２０２）と、能力判断手段により伝送レートの合計が無線ネットワークの伝送能力を超えていると判断された場合、コンテンツ送信手段により送信されるコンテンツの伝送レートを、コンテンツの優先度に応じて変更する伝送レート変更手段（例えば、図１８の伝送レート変換部２０１）とをさらに備えることを特徴とする。
【００６２】
請求項１８に記載の車載通信端末コンテンツ送信手段により送信されるコンテンツのデータ容量を計測する容量計測手段（例えば、図２０のステップＳ２０２の処理を実行する図１８の伝送レート測定部２０２）をさらに備え、計算手段は、容量計測手段により計測されたデータ容量の情報に基づいて、他の車載通信端末との間で通信されるコンテンツの伝送レートの合計を計算することを特徴とする。
【００６３】
請求項１９に記載の車載通信端末（例えば、図２２のコンテンツサーバ１１）は、コンテンツ送信手段により送信されたコンテンツを受信した他の車載通信端末により、計測され、送信されるコンテンツのデータ容量の情報を受信するデータ情報受信手段（例えば、図２４のステップＳ２４２の処理を実行する図２２の受信部４２）をさらに備え、計算手段（例えば、図２２の帯域計算部２２２）は、データ情報受信手段により受信されたデータ容量の情報に基づいて、他の車載通信端末との間で通信されるコンテンツの伝送レートの合計を計算することを特徴とする。
【００６４】
請求項２０に記載の通信方法は、他の車載通信端末により要求されたコンテンツを読み出すコンテンツ読み出しステップ（例えば、図７のステップＳ４１）と、コンテンツ読み出しステップの処理により読み出されたコンテンツを、車両に関する識別情報を作用させたキーを用いて暗号化するコンテンツ暗号化ステップ（例えば、図７のステップＳ４２）と、コンテンツ暗号化ステップの処理により暗号化されたコンテンツを、他の車載通信端末に送信するコンテンツ送信ステップ例えば、図７のステップＳ４３）とを含むことを特徴とする。
【００６５】
なお、請求項２１に記載のプログラム記録媒体および請求項２２に記載のプログラムは、上述した請求項２０に記載の通信方法と基本的に同様の構成であるため、繰り返しになるのでその説明は省略する。
【００６６】
請求項２３に記載の車載通信端末（例えば、図１のディスプレイ装置１２−１）は、車両に関する識別情報（例えば、図３の鍵生成情報７１）を作用させた第１のキーを用いて、他の車載通信端末（例えば、図１のコンテンツサーバ１１）により、暗号化され、送信されたコンテンツを受信するコンテンツ受信手段（例えば、図７のステップＳ３２の処理を実行する図３の受信部６２）と、コンテンツ受信手段により受信されたコンテンツを第１のキーを用いて復号するコンテンツ復号手段（例えば、図７のステップＳ３３の処理を実行する図３の復号部５２）と、コンテンツ復号手段により復号されたコンテンツの出力を制御する出力制御手段（例えば、図３の表示制御部５４）とを備えることを特徴とする。
【００６７】
請求項２５に記載の車載通信端末（例えば、図３のディスプレイ装置１２）は、ユーザの操作に基づいて、識別情報（例えば、図３の鍵生成情報７１）を入力する入力手段（例えば、図３の操作入力部５５）と、入力手段により入力された識別情報の送信が指示されたか否かを判断する入力判断手段（例えば、図４のステップＳ３の処理を実行する図３の送信部６１）と、他の車載通信端末が所定の近接範囲内に配置されているか否かを判断する位置判断手段（例えば、図５のステップＳ５の処理を実行する図３の受信部６２）と、入力判断手段により識別情報の送信が指示されたと判断され、かつ、位置判断手段により他の車載通信端末が所定の近接範囲内に配置されていると判断された場合、識別情報を他の車載通信端末に送信する識別情報送信手段（例えば、図５のステップＳ６の処理を実行する図３の送信部６１）と、他の車載通信端末により識別情報を作用させて生成され、送信された第１のキーを受信するキー受信手段（例えば、図５のステップＳ７の処理を実行する図３の受信部６２）とをさらに備えることを特徴とする。
【００６８】
請求項２６に記載の車載通信端末（例えば、図９のディスプレイ装置１２）は、ユーザの操作に基づいて、識別情報（例えば、図９の鍵生成情報７１）を入力する入力手段（例えば、図９の操作入力部５５）と、入力手段により入力された識別情報に基づいて、第１のキーを生成する生成手段（例えば、図９の鍵生成部１０１）とをさらに備えることを特徴とする。
【００６９】
請求項２７に記載の車載通信端末（例えば、図１１のディスプレイ装置１２）は、暗号化に使用される第２のキーを予め記憶するキー記憶手段（例えば、図１１のメモリ６３）と、ユーザの操作に基づいて、識別情報を入力する入力手段（例えば、操作入力部５５）と、入力手段により入力された識別情報を、第２のキーを用いて暗号化する識別情報暗号化手段（例えば、図１２のステップＳ１０４の処理を実行する図１１の暗号化部１４２）と、識別情報暗号化手段により暗号化された識別情報を、他の車載通信端末に送信する識別情報送信手段（例えば、図１２のステップＳ１０５の処理を実行する図１１の送信部６１）と、キー記憶手段に記憶されている第２のキーを、入力手段により入力された識別情報を作用させた第１のキー（例えば、図１１の暗号キー１５１）に書き換える書き換え手段（例えば、図１１のキー変更部１４１）とをさらに備え、コンテンツ復号手段（例えば、図１１の暗号化部１４２）は、書き換え手段により第２のキーが第１のキーに書き換えられる前には、コンテンツを、第２のキーを用いて復号し、書き換え手段により第２のキーが第１のキーに書き換えられた後に、コンテンツを、第１のキーを用いて復号することを特徴とする。
【００７０】
請求項２８に記載の車載通信端末（例えば、図１５のディスプレイ装置１２）は、自己に装着される記録媒体（例えば、図１５のカード１７１）よりユーザ情報を読み出すユーザ情報読み出し手段（例えば、図１５のカードリーダ１８１）と、ユーザ情報読み出し手段により読み出されたユーザ情報に基づいて、メモリから、ユーザを識別するためのユーザ専用の識別情報を読み出す識別情報読み出し手段（例えば、図１５の認証部１８２）と、識別情報読み出し手段により読み出されたユーザ専用の識別情報を他の車載通信端末に送信する識別情報送信手段（例えば、図１６のステップＳ１５５の処理を実行する図１５の送信部６１）とをさらに備え、コンテンツ受信手段は、他の車載通信端末によるユーザ専用の識別情報に基づいた認証の結果、読み出しが制限されていないコンテンツのみを受信することを特徴とする。
【００７１】
請求項２９に記載の車載通信端末（例えば、図２３のディスプレイ装置１２）は、コンテンツ受信手段により受信されたコンテンツのデータ容量を計測する容量計測手段（例えば、図２３のデータ測定部２４１）と、容量計測手段により計測されたデータ容量の情報を他の車載通信端末に送信するデータ情報送信手段（例えば、図２５のステップＳ２６５の処理を実行する図２３の送信部６１）とをさらに備え、コンテンツ受信手段は、他の車載通信端末によりデータ容量の情報に基づいて伝送レートが変更されたコンテンツを受信することを特徴とする。
【００７２】
請求項３０に記載の通信方法は、車両に関する識別情報を作用させたキーを用いて、他の車載通信端末により、暗号化され、送信されたコンテンツを受信するコンテンツ受信ステップ（例えば、図７のステップＳ３２）と、コンテンツ受信ステップの処理により受信されたコンテンツをキーを用いて復号するコンテンツ復号ステップ（例えば、図７のステップＳ３３）と、コンテンツ復号手段により復号されたコンテンツの出力を制御する出力制御ステップ（例えば、図７のステップＳ３４）とを含むことを特徴とする。
【００７３】
なお、請求項３１に記載のプログラム記録媒体および請求項３２に記載のプログラムは、上述した請求項３０に記載の通信方法と基本的に同様の構成であるため、繰り返しになるのでその説明は省略する。
【００７４】
以下、図を参照して本発明の実施の形態について説明する。
【００７５】
図１は、本発明を適用した無線通信システム１の構成例を表している。図１の例において、車内に搭載されているコンテンツサーバ１１には、ディスプレイ装置１２−１乃至１２−３がそれぞれ、IEEE802.11bなどで規定される無線通信により接続されている。ディスプレイ装置１２−１乃至１２−３は、それぞれ、コンテンツサーバ１１に記憶されているコンテンツを視聴するためのＬＣＤ（Liquid Crystal Display）２１−１乃至２１−３を有している。なお、以下、ディスプレイ装置１２−１乃至１２−３およびＬＣＤ２１−１乃至ＬＣＤ２１−３を、個々に区別する必要がない場合、単にディスプレイ装置１２およびＬＣＤ２１と称する。
【００７６】
コンテンツサーバ１１とディスプレイ装置１２は、両者の間でデータを暗号化して通信するために必要な共通のキーを生成するための基本情報となる鍵生成情報７１（図３を参照して後述する）を作用させた共通のキー（暗号化キーおよびそれに対応する復号キー）を有している。この鍵生成情報７１は、例えば、車両の製造番号、車両のナンバープレート、エンジンキーの番号、または、ユーザの免許証番号など、車両に関する情報とされる。
【００７７】
コンテンツサーバ１１は、例えば、車の座席の下または後部トランクの中などに設置されており、例えば、カーナビゲーションシステムを実行するときに用いられる地図などのコンテンツ、後部座席などで視聴するための映画、または音楽などのコンテンツを記憶している。なお、コンテンツは、コンテンツサーバ１１に装着される記録媒体に記憶されているようにしてもよい。コンテンツサーバ１１は、ディスプレイ装置１２の要求に応じて、記憶しているコンテンツを読み出し、読み出されたコンテンツを、ディスプレイ装置１２と共通の暗号キーを用いて暗号化し、ディスプレイ装置１２に送信する。
【００７８】
ディスプレイ装置１２は、例えば、カーナビゲーションを実行するために運転席の横に設置されていたり、後部座席のユーザが映画などのコンテンツを視聴するために運転席または助手席の後ろ側に設置されている。ディスプレイ装置１２は、コンテンツサーバ１１に記憶されているコンテンツを要求し、コンテンツサーバ１１から送信されてくるコンテンツを、コンテンツサーバ１１と共通の復号キーを用いて復号し、ＬＣＤ２１などに表示させる。
【００７９】
以上のように、無線通信システム１においては、車両の製造番号、車両のナンバープレート、エンジンキーの番号、または、ユーザの免許証番号などにより構成される鍵生成情報７１を作用させた共通のキー（暗号化キーおよびそれに対応する復号キー）を用いて、コンテンツの送受信が実行される。
【００８０】
なお、図１においては、コンテンツサーバ１１にディスプレイ装置１２が３台接続されているが、コンテンツサーバ１１に接続されるディスプレイ装置１２の台数は、３台には限定されず、１台であってもよいし、もっと多くの複数台であってもよい。また、無線可能範囲内であれば、例えば、ディスプレイ装置１２を車両外に持ち出して、車両外から、車両内のコンテンツサーバ１１にアクセスし、コンテンツを表示することもできる。
【００８１】
図２は、コンテンツサーバ１１の構成例を表している。図２の例においては、コンテンツサーバ１１は、無線通信部３１、暗号化部３２、記憶部３３、鍵生成部３４、および操作入力部３５により構成される。
【００８２】
無線通信部３１は、送信部４１および受信部４２により構成され、ディスプレイ装置１２と無線通信を行う。送信部４１は、ディスプレイ装置１２に、所定の信号および情報などを送信し、受信部４２は、ディスプレイ装置１２から送信されてくる所定の信号および情報を受信する。具体的には、送信部４１は、暗号化部３２により暗号化されたコンテンツまたは鍵生成部３４により生成された共通のキー（復号キー）を、ディスプレイ装置１２に送信する。また、送信部４１は、操作入力部３５を介して入力されるユーザの指示信号に基づいて、ディスプレイ装置１２から送信されてくる信号に応答する応答信号を送信する。受信部４２は、ディスプレイ装置１２からのコンテンツの要求信号を受信すると、記憶部３３を制御し、要求されたコンテンツを読み出させる。また、受信部４２は、ディスプレイ装置１２から送信されてくる鍵生成情報７１を受信し、鍵生成部３４に供給する。
【００８３】
暗号化部３２は、メモリ４３を内蔵しており、鍵生成部３４から供給される暗号キーをメモリ４３に記憶する。暗号化部３２は、記憶部３３から供給されたコンテンツを、メモリ４３に記憶される暗号キーで暗号化し、送信部４１に供給する。記憶部３３は、例えば、カーナビゲーションを実行するときに用いられる地図などのコンテンツ、後部座席などで視聴するための映画、または音楽などのコンテンツなどを記憶しており、受信部４２により指示されたコンテンツを読み出し、暗号化部３２に供給する。
【００８４】
鍵生成部３４は、予め記憶されている鍵生成情報３６、および受信部４２から供給される鍵生成情報７１に基づいて、コンテンツサーバ１１およびディスプレイ装置１２間の共通のキー（暗号キーおよび復号キー）を生成し、生成された復号キーを送信部４１に供給し、生成された暗号キーを暗号化部３２に供給する。鍵生成情報３６は、例えば、コンテンツサーバ１１のシリアルナンバなどで構成される。なお、鍵生成情報３６も、鍵生成情報７１と同様に、例えば、車両の製造番号、車両のナンバープレート、エンジンキーの番号、または、ユーザの免許証番号など、車両（車両そのものや車両の運転）に関する情報としてもよい。操作入力部３５は、ユーザが操作するための操作ボタン、および、ディスプレイ装置１２から鍵生成情報７１を受信するときに指示される受信ボタン８１（図６を参照して後述する）などにより構成される。
【００８５】
図３は、ディスプレイ装置１２の構成例を表している。図３の例においては、ディスプレイ装置１２は、無線通信部５１、復号部５２、デコーダ５３、表示制御部５４、および操作入力部５５により構成される。
【００８６】
無線通信部５１は、送信部６１および受信部６２により構成され、コンテンツサーバ１１と無線通信を行う。送信部６１は、コンテンツサーバ１１に所定の信号または情報を送信する。受信部６２は、コンテンツサーバ１１から送信されてくるコンテンツや所定の情報を受信する。具体的には、送信部６１は、操作入力部５５を介して入力されるユーザの指示信号に基づいて、コンテンツサーバ１１が所定の近傍の範囲にいるか否かを確かめるための確認信号、鍵生成情報７１、または、コンテンツの要求信号をコンテンツサーバ１１に送信する。受信部６２は、コンテンツサーバ１１から送信されてくる復号キーまたはコンテンツを受信し、復号部５２に供給する。
【００８７】
復号部５２は、メモリ６３を内蔵しており、受信部６２から供給される復号キーをメモリ６３に記憶する。復号部５２は、メモリ６３の復号キーを用いて、コンテンツを復号（暗号解除）し、暗号解除されたコンテンツをデコーダ５３に供給する。デコーダ５３は、復号部５２により暗号解除されたコンテンツをデコードし、デコードされたコンテンツを表示制御部５４に供給する。表示制御部５４は、デコーダ５３からのコンテンツを、ＬＣＤ２１などの表示部に表示する制御を行う。また、表示制御部５４は、操作入力部５５からの指示に応じた画面の画像を生成し、生成された画面をＬＣＤ２１に表示させる。
【００８８】
操作入力部５５は、ユーザが操作するための操作ボタン、および鍵生成情報７１を送信するときに指示される送信ボタン８２（図６を参照して後述する）などにより構成され、ユーザにより入力された鍵生成情報７１を無線通信部５１に供給したり、ユーザにより入力された他の情報を無線通信部５１または表示制御部５４などに供給する。鍵生成情報７１は、上述したように、例えば、車両の製造番号、車両のナンバープレート、エンジンキーの番号、または、ユーザの免許証番号など、車両に関する情報から構成される。
【００８９】
次に、図４および図５のフローチャートを参照して、無線通信システム１のキー登録処理を説明する。なお、この処理は、ディスプレイ装置１２がコンテンツサーバ１１に最初に無線通信するときにだけ実行される処理である。
【００９０】
ユーザが、操作入力部５５を操作し、ディスプレイ装置１２を起動させると、送信部６１は、初めての通信処理であると判断し、ステップＳ１において、表示制御部５４を制御し、ＬＣＤ２１に鍵生成情報登録画面を表示させる。ユーザは、ＬＣＤ２１に表示された鍵生成情報登録画面を見て、操作入力部５５の操作ボタンなどを操作し、例えば、車両の製造番号、車両のナンバープレート、エンジンキーの番号、または、ユーザの免許証番号などの鍵生成情報７１を入力する。
【００９１】
これに対応して、ステップＳ２において、操作入力部５５は、入力された鍵生成情報７１を送信部６１に供給し、ステップＳ３に進む。ユーザは、鍵生成情報７１を入力した後、鍵生成情報７１を、コンテンツサーバ１１に送信するために、図６に示されるように、ディスプレイ装置１２を、コンテンツサーバ１１の近距離ｄ（例えば、１０ｃｍ）以内に配置させる。この距離ｄは、例えば、車両の外から通信不可能な距離とされるのが好ましい。
【００９２】
図６の例の場合、コンテンツサーバ１１は、鍵生成情報７１を受信するための受信ボタン８１を有し、ディスプレイ装置１２は、鍵生成情報７１を送信するための送信ボタン８２を有している。そこで、ユーザは、受信ボタン８１と送信ボタン８２を操作する。
【００９３】
コンテンツサーバ１１においては、受信ボタン８１が操作された情報が、操作入力部３５を介して、受信部４２に供給される。受信部４２は、ステップＳ１１において、受信ボタン８１が操作されるまで待機しており、操作入力部３５からの情報に基づいて、受信ボタン８１が操作されたと判断した場合、ステップＳ１２に進み、ディスプレイ装置１２からの確認信号が受信されるまで待機している。
【００９４】
ディスプレイ装置１２においては、送信ボタン８２が操作された情報が、操作入力部５５を介して、送信部６１に供給される。送信部６１は、ステップＳ３において、送信ボタン８２が操作されるまで待機しており、操作入力部５５からの情報に基づいて、送信ボタン８２が操作されたと判断した場合、ステップＳ４に進み、コンテンツサーバ１１が所定の近距離ｄ以内に配置されているか否かを確認するための確認信号を送信し、図５のステップＳ５に進む。なお、このステップＳ４以降のディスプレイ装置１２およびコンテンツサーバ１１においては、所定の近距離ｄ以内にいる装置だけが受信することのできる電波強度で所定の信号や情報が送受信される。すなわち、この確認信号、並びに、以下の応答信号、鍵生成情報７１、および復号キーは、所定の近距離ｄ以内にいる装置だけが受信することのできる電波強度で送信される。
【００９５】
これに対応して、コンテンツサーバ１１の受信部４２は、ステップＳ１２において、ディスプレイ装置１２からの確認信号が受信されたと判断し、ステップＳ１３に進み、送信部４１を制御し、確認信号に対応する応答信号を、コンテンツサーバ１１に送信させ、図５のステップＳ１４に進む。
【００９６】
ディスプレイ装置１２の受信部６２は、図５のステップＳ５において、コンテンツサーバ１１からの応答信号を受信したか否か、すなわち、コンテンツサーバ１１（の位置）が所定の近距離ｄ内であるか否かを判断する。ステップＳ５において、受信部６２は、コンテンツサーバ１１からの応答信号を受信しなかった、すなわち、コンテンツサーバ１１が所定の近距離ｄ内に配置されていないと判断した場合、ステップＳ６およびＳ７の処理をスキップし、キー登録処理を終了する。また、受信部６２は、ステップＳ５において、コンテンツサーバ１１からの応答信号を受信し、コンテンツサーバ１１の位置が所定の近距離ｄ内であると判断した場合、ステップＳ６に進み、送信部６１を制御し、操作入力部５５から供給された鍵生成情報７１を、コンテンツサーバ１１に送信させ、ステップＳ７に進む。
【００９７】
一方、コンテンツサーバ１１の受信部４２は、図５のステップＳ１４において、ディスプレイ装置１２からの鍵生成情報７１を受信したか否かを判断し、ディスプレイ装置１２からの鍵生成情報７１を受信していないと判断した場合、ステップＳ１５およびＳ１６の処理をスキップし、キー登録処理を終了する。また、受信部４２は、ステップＳ１４において、ディスプレイ装置１２からの鍵生成情報７１を受信したと判断した場合、鍵生成情報７１を、鍵生成部３４に供給し、ステップＳ１５に進む。
【００９８】
鍵生成部３４は、ステップＳ１５において、受信部４２から供給された鍵生成情報７１と予め記憶されている鍵生成情報３６を作用させて、コンテンツサーバ１１およびディスプレイ装置１２の間の共通のキー（暗号キーおよび復号キー）を生成し、生成された暗号キーを暗号化部３２に供給し、復号キーを送信部４１に供給し、ステップＳ１６に進む。このとき、暗号化部３２は、鍵生成部３４からの暗号化キーをメモリ４３に記憶する。送信部４１は、ステップＳ１６において、鍵生成部３４により生成された復号キーを、ディスプレイ装置１２に送信し、キー登録処理を終了する。
【００９９】
ディスプレイ装置１２の受信部６２は、ステップＳ７において、ディスプレイ装置１２から送信されてくる復号キーを受信し、受信された復号キーを復号部５２に供給する。復号部５２は、メモリ６３に復号キーを登録し、キー登録処理を終了する。
【０１００】
なお、図４のキー登録処理においては、コンテンツサーバ１１およびディスプレイ装置１２の各ボタンを操作して、鍵生成情報および生成される共通のキーを送受信するように説明したが、ディスプレイ装置１２の送信ボタン８２のみ、または、コンテンツサーバ１１のみの操作により鍵生成情報および生成される共通のキーを送受信するようにしてもよい。
【０１０１】
また、図４のキー登録処理においては、応答信号の受信可否により、コンテンツサーバ１１が所定の近距離ｄ内に配置されているか否かを判断したが、応答信号の送信強度を設定しておき、応答信号の受信強度に基づいて、コンテンツサーバ１１が所定の近距離ｄ内に配置されているか否かを判断するようにしてもよい。
【０１０２】
以上のように、所定の近距離において、共通のキーを生成するための鍵生成情報および生成された共通のキーを送受信するようにしたので、外部から盗聴されることが抑制され、安全に情報を送信できる。
【０１０３】
次に、以上のようにして登録された共通のキーを用いて実行される無線通信システム１のコンテンツ送受信処理を、図７のフローチャートを参照して説明する。
【０１０４】
ユーザは、ディスプレイ装置１２の操作入力部５５を操作して、所望のコンテンツを要求する。操作入力部５５は、ユーザの操作に基づいて、コンテンツの要求信号を、送信部６１に供給する。送信部６１は、ステップＳ３１において、操作入力部５５を介して供給されたコンテンツの要求信号を、コンテンツサーバ１１に送信する。
【０１０５】
コンテンツサーバ１１の受信部４２は、ディスプレイ装置１２からのコンテンツの要求信号を受信すると、ステップＳ４１において、ディスプレイ装置１２からのコンテンツの要求信号に基づいて、記憶部３３からコンテンツを読み出し、暗号化部３２に供給し、ステップＳ４２に進む。暗号化部３２は、ステップＳ４２において、図５のステップＳ１５において生成され、メモリ４３に記憶されている暗号キーを用いて、記憶部３３から読み出されたコンテンツを暗号化し、暗号化されたコンテンツを送信部４１に供給し、ステップＳ４３に進む。送信部４１は、ステップＳ４３において、暗号化部３２により暗号化されたコンテンツを、ディスプレイ装置１２に送信し、コンテンツ送信処理を終了する。
【０１０６】
一方、ディスプレイ装置１２の受信部６２は、ステップＳ３２において、コンテンツサーバ１１からのコンテンツを受信し、受信されたコンテンツを、復号部５２に供給し、ステップＳ３３に進む。復号部５２は、受信部６２からのコンテンツを、メモリ６３に記憶されている復号キーを用いて復号（暗号解除）し、暗号が解除されたコンテンツを、デコーダ５３に供給し、ステップＳ３４に進む。デコーダ５３は、ステップＳ３４において、復号部５２により暗号が解除されたコンテンツをデコードし、デコードされたコンテンツを表示制御部５４に供給する。表示制御部５４は、デコーダ５３からのコンテンツを、ＬＣＤ２１に表示させ、コンテンツ受信処理を終了する。
【０１０７】
以上のように、コンテンツサーバ１１とディスプレイ装置１２において、車両に関する情報からなる鍵生成情報７１に基づいて生成されたキー（暗号キーおよび復号キー）が共有され、共有されている共通のキーが用いられて、コンテンツが暗号化されて送受信されるので、車両の外部の他の装置から盗聴などされることが抑制される。また、共通のキーが登録されるので、一旦共通のキーを生成すれば、再度、コンテンツサーバ１１とディスプレイ装置１２の所定の距離に近づけて通信する必要もなく、無線通信可能距離であれば、共通のキーを用いて、暗号化されたコンテンツの送受信を実行することができる。
【０１０８】
また、鍵生成情報７１を、例えば、車両の製造番号、車両のナンバープレート、エンジンキーの番号、または、ユーザの免許証番号などの車両に関する情報にするようにしたので、ユーザ側での管理も行いやすい。なお、鍵生成情報７１を操作入力部５５から入力するようにしたが、例えば、車のキーをディスプレイ装置１２に装着することにより、そのエンジンキーの番号が入力されるようにしてもよいし、ユーザの免許証をディスプレイ装置１２に装着することにより、免許証番号が入力されるようにしてもよく、このようにした場合、鍵生成情報７１を直接入力する手間を省くことができ、入力ミスなども抑制することができる。
【０１０９】
図８は、図２のコンテンツサーバ１１の他の構成例を表している。なお、図８のコンテンツサーバ１１は、鍵生成情報保存部９１が追加されている点、および、操作入力部３５が省かれている点を除いて、その他の構成は、上述した図２のコンテンツサーバ１１と同様の構成である。
【０１１０】
図８の例においては、鍵生成情報保存部９１には、鍵生成情報３６の他に、車両の製造番号、車両のナンバープレート、エンジンキーの番号、または、ユーザの免許証番号などの鍵生成情報７１が、ＲＯＭライタなどを用いることで、コンテンツサーバ１１の出荷時または購入時などに予め書き込まれている。
【０１１１】
鍵生成部３４は、鍵生成情報保存部９１に書き込まれている鍵生成情報３６および鍵生成情報７１を作用させて、共通のキー（暗号キー）を生成し、暗号化部３２に供給する。暗号化部３２は、鍵生成部３４から供給された暗号キーをメモリ４３に記憶し、記憶された暗号キーを用いて、記憶部３３のコンテンツを暗号化し、送信部４１に供給する。
【０１１２】
送信部４１は、暗号化部３２により暗号化されたコンテンツをディスプレイ装置１２に送信する。受信部４２は、ディスプレイ装置１２からのコンテンツの要求信号を受信すると、記憶部３３を制御し、要求されたコンテンツを読み出させる。
【０１１３】
図９は、ディスプレイ装置１２の他の構成例を表している。なお、図９のディスプレイ装置１２は、鍵生成部１０１が追加されている点を除いて、その他の構成は、上述した図３のディスプレイ装置１２と同様の構成である。
【０１１４】
図９の例においては、操作入力部５５には、ユーザにより鍵生成情報７１だけでなく、鍵生成情報３６も入力される。操作入力部５５は、ユーザにより入力された鍵生成情報７１と鍵生成情報３６を鍵生成部１０１に供給する。
【０１１５】
鍵生成部１０１は、図８の鍵生成部３４と同様に、操作入力部５５から供給された鍵生成情報７１と鍵生成情報３６を作用させてコンテンツサーバ１１と共通のキー（復号キー）を生成し、生成された復号キーを復号部５２に供給する。復号部５２は、鍵生成部１０１から供給された復号キーを、メモリ６３に記憶し、受信部６２から供給されたコンテンツを、その復号キーを用いて復号して、デコーダ５３に供給する。
【０１１６】
送信部６１は、操作入力部５５を介して入力されるユーザの指示信号に基づいて、コンテンツの要求信号をコンテンツサーバ１１に送信する。受信部６２は、コンテンツサーバ１１から送信されてくるコンテンツを受信し、復号部５２に供給する。
【０１１７】
以上のような図８のコンテンツサーバ１１と図９のディスプレイ装置１２により構成される無線通信システム１においては、それぞれにおいて、鍵生成情報７１と鍵生成情報３６を作用させて共通のキーが生成される。したがって、図２のコンテンツサーバ１１および図３のディスプレイ装置１２のように、図４および図５を参照して上述したキー登録処理（すなわち、ディスプレイ装置１２との鍵生成情報および共通のキーの送受信処理）が必要なく、すぐに、図７を参照して上述したコンテンツ送受信処理と同様の処理（繰り返しになるのでその説明を省略するが）を実行することができる。
【０１１８】
すなわち、鍵生成情報および共通のキーが送受信されないので、図８のコンテンツサーバ１１と図９のディスプレイ装置１２により構成される無線通信システム１においては、図２のコンテンツサーバ１１および図３のディスプレイ装置１２により構成される無線通信システム１よりも、セキュリティを高めることができる。さらに、共通のキーの登録のために、装置同士を所定の距離に近づける必要もなく、また、受信ボタン８１および送信ボタン８２も必要ないため、受信ボタン８１および送信ボタン８２を設けるためのコストを軽減することができる。
【０１１９】
また、鍵生成情報を、例えば、車両の製造番号、車両のナンバープレート、エンジンキーの番号、または、ユーザの免許証番号などの車両に関する情報にするようにしたので、ディスプレイ装置１２に鍵生成情報を入力する際に、例えば、ユーザが鍵生成情報を忘れてしまったり、鍵生成情報を記した書面などを紛失してしまったりして入力ができなくなってしまうことが抑制される。
【０１２０】
図１０は、図２のコンテンツサーバ１１のさらに他の構成例を表している。なお、図１０のコンテンツサーバ１１は、キー変更部１２１が追加されている点、および操作入力部３５が省かれている点を除いて、その他の構成は、上述した図２のコンテンツサーバ１１と同様の構成である。
【０１２１】
図１０の例においては、暗号化部３２のメモリ４３には、コンテンツサーバ１１の出荷時または購入時などに暗号キー（以下、初期暗号キーと称する）が予め書き込まれている。なお、この初期暗号キーは、後述する図１１のディスプレイ装置１２に予め書き込まれている初期暗号キーに対応するものであり、コンテンツサーバ１１の初期暗号キーで暗号化された情報は、ディスプレイ装置１２の初期暗号キーで暗号解除され、ディスプレイ装置１２の初期暗号キーで暗号化された情報は、コンテンツサーバ１１の初期暗号キーで暗号解除される。
【０１２２】
暗号化部３２は、コンテンツサーバ１１の設置時当初、記憶部３３から供給されたコンテンツを、メモリ４３に記憶されている初期暗号キーを用いて暗号化して送信部４１に供給する。また、暗号化部３２は、ディスプレイ装置１２により初期暗号キーを用いて暗号化されて送信されてきた情報を、初期暗号キーを用いて暗号を解除する。
【０１２３】
キー変更部１２１は、暗号化部３２により復号された、ディスプレイ装置１２からの鍵生成情報７１を作用させて暗号キー１３１を生成し、メモリ４３に記憶されている初期暗号キーを、生成された暗号キー１３１に書き換える。なお、ディスプレイ装置１２においても、この暗号キー１３１に対応する暗号キー１５１（図１１を参照して後述する）が鍵生成情報７１を作用させて生成され、新しく書き換えられる。したがって、これ以降、暗号化部３２は、記憶部３３から供給されたコンテンツを、メモリ４３に新しく書き換えられた暗号キー１３１を用いて暗号化して、送信部４１に供給する。また、暗号化部３２は、ディスプレイ装置１２により書き換えられた暗号キー１５１を用いて暗号化されて送信されてきた情報を、書き換えられた暗号キー１３１で復号する。
【０１２４】
送信部４１は、暗号化部３２により暗号化されたコンテンツを、ディスプレイ装置１２に送信する。受信部４２は、ディスプレイ装置１２からのコンテンツの要求信号を受信すると、記憶部３３を制御し、要求されたコンテンツを読み出させる。また、受信部４２は、ディスプレイ装置１２から送信されてくる鍵生成情報７１を受信し、暗号化部３２に供給する。
【０１２５】
図１１は、ディスプレイ装置１２のさらに他の構成例を表している。なお、図１１のディスプレイ装置１２は、キー変更部１４１および暗号化部１４２が追加されている点、並びに、復号部５２が省かれている点を除いて、その他の構成は、上述した図３のディスプレイ装置１２と同様の構成である。
【０１２６】
図１１の例においては、暗号化部１４２は、図３の復号部５２と同様に、メモリ６３を内蔵している。メモリ６３には、上述した図１０のコンテンツサーバ１１と同様に、ディスプレイ装置１２の出荷時または購入時などに初期暗号キーが予め書き込まれている。なお、この初期暗号キーは、コンテンツサーバ１１に予め書き込まれている初期暗号キーに対応するものであり、ディスプレイ装置１２の初期暗号キーで暗号化された情報は、コンテンツサーバ１１の初期暗号キーで暗号解除され、コンテンツサーバ１１の初期暗号キーで暗号化された情報は、ディスプレイ装置１２の初期暗号キーで暗号解除される。
【０１２７】
暗号化部１４２は、ディスプレイ装置１２の設置時当初、受信部６２から供給されたコンテンツを、メモリ６３に記憶されている初期暗号キーを用いて復号してデコーダ５３に供給する。また、暗号化部１４２は、操作入力部５５を介して入力される鍵生成情報７１を、初期暗号キーで暗号化し、送信部６１に供給する。
【０１２８】
キー変更部１４１は、操作入力部５５を介して入力される鍵生成情報７１を作用させて、暗号キー１５１を生成し、暗号化部１４２のメモリ６３に記憶されている初期暗号キーを、生成された暗号キー１５１に書き換える。上述したように、コンテンツサーバ１１においても、この暗号キー１５１に対応する暗号キー１３１が鍵生成情報７１を作用させて生成され、新しく書き換えられる。したがって、これ以降、暗号化部１４２は、受信部６２から供給されたコンテンツを、メモリ６３に新しく書き換えられた暗号キー１５１を用いて復号して、デコーダ５３に供給する。また、暗号化部１４２は、操作入力部５５を介して入力される鍵生成情報を、書き換えられた暗号キー１５１で暗号化し、送信部６１に供給する。
【０１２９】
送信部６１は、暗号化部１４２により暗号化された鍵生成情報７１、および、操作入力部５５を介して入力されるユーザの指示信号に基づいて、コンテンツの要求信号をコンテンツサーバ１１に送信する。受信部６２は、コンテンツサーバ１１から送信されてくるコンテンツを受信し、暗号化部１４２に供給する。
【０１３０】
次に、図１２および図１３のフローチャートを参照して、図１０のコンテンツサーバ１１と図１１のディスプレイ装置１２の暗号キー変更処理を説明する。なお、図１２は、図１１のディスプレイ装置１２の暗号キー変更処理を示し、図１３は、図１２に対応して実行される図１０のコンテンツサーバ１１の暗号キー変更処理を示している。
【０１３１】
図１０のコンテンツサーバ１１および図１１のディスプレイ装置１２が車内の所定の位置に設置されてから、この暗号キー変更処理が実行されるまで、コンテンツサーバ１１およびディスプレイ装置１２は、暗号化部３２のメモリ４３および暗号化部１４２のメモリ６３に予め記憶されている初期暗号キーを用いて、コンテンツ送受信処理を実行している。
【０１３２】
このコンテンツ送受信処理は、図７を参照して上述したコンテンツ送受信処理と基本的に同様の処理であるので、その説明を省略するが、図１０のコンテンツサーバ１１および図１１のディスプレイ装置１２の場合、図７のステップＳ４２において、コンテンツサーバ１１の暗号化部３２は、メモリ４３に記憶されている初期暗号キーを用いてコンテンツを暗号化し、暗号化されたコンテンツを送信部４１に供給しており、また、図７のステップＳ３３において、ディスプレイ装置１２の暗号化部１４２は、メモリ６３に記憶されている初期暗号キーを用いてコンテンツを復号し、復号されたコンテンツをデコーダ５３に供給している。
【０１３３】
ユーザは、この初期暗号キーから、新しく暗号キーを変更するために、操作入力部５５の所定の操作ボタンを操作する。表示制御部５４は、図１２のステップＳ１０１において、暗号キー変更が指示されるまで待機しており、操作入力部５５を介して、暗号キー変更の指示信号が入力されたと判断した場合、ステップＳ１０２に進み、ＬＣＤ２１に鍵生成情報登録画面を表示させ、ステップＳ１０３に進む。ユーザは、ＬＣＤ２１に表示された鍵生成情報登録画面を見て、操作入力部５５の操作ボタンなどを操作し、例えば、車両の製造番号、車両のナンバープレート、エンジンキーの番号、または、ユーザの免許証番号などの鍵生成情報７１を入力する。操作入力部５５は、ステップＳ１０３において、ユーザの操作に基づいて、鍵生成情報７１を入力し、入力された鍵生成情報７１を、キー変更部１４１および暗号化部１４２に供給し、ステップＳ１０４に進む。
【０１３４】
暗号化部１４２は、ステップＳ１０４において、操作入力部５５を介して供給された鍵生成情報７１を、メモリ６３に予め記憶されている初期暗号キーで暗号化し、ステップＳ１０５に進み、暗号化された鍵生成情報７１を、送信部６１を制御し、コンテンツサーバ１１に送信させ、ステップＳ１０６に進む。
【０１３５】
キー変更部１４１は、ステップＳ１０６において、操作入力部５５を介して供給された鍵生成情報７１に基づいて、メモリ６３に記憶されている初期暗号キーを、新しく生成された暗号キー１５１に書き換える。すなわち、キー変更部１４１は、鍵生成情報７１を作用させて、新しく暗号キーを生成し、メモリ６３に記憶されている初期暗号キーを、新しく生成された暗号キー１５１に書き換え、暗号キー変更処理を終了する。
【０１３６】
一方、コンテンツサーバ１１の受信部４１は、図１３のステップＳ１２１において、鍵生成情報７１を受信するまで待機している。上述した図１２のステップＳ１０５において、ディスプレイ装置１２から鍵生成情報７１が送信されてくる。受信部４１は、ステップＳ１２１において、この鍵生成情報７１を受信したと判断し、受信した鍵生成情報７１を、暗号化部３２に供給し、ステップＳ１２２に進む。暗号化部３２は、ステップＳ１２２において、鍵生成情報７１を、メモリ４３に予め記憶されている初期暗号キーで復号し、復号された鍵生成情報７１を、キー変更部１２１に供給し、ステップＳ１２３に進む。
【０１３７】
キー変更部１２１は、ステップＳ１２３において、暗号化部３２から供給された鍵生成情報７１に基づいて、メモリ４３に記憶されている初期暗号キーを、新しく生成された暗号キー１３１に書き換える。すなわち、キー変更部１２１は、鍵生成情報７１を作用させて、新しく暗号キー１３１を生成し、メモリ４３に記憶されている初期暗号キーを、新しく生成された暗号キー１３１に書き換え、暗号キー変更処理を終了する。
【０１３８】
以上のように、無線通信システム１において用いられる暗号キーが変更されるので、暗号キーが暗号キー１３１および１５１に変更された後、図７を参照して上述したコンテンツ送受信処理においては、初期暗号キーではなく、変更された暗号キー１３１および１５１が用いられてコンテンツの暗号化および復号が実行される。すなわち、暗号キーが暗号キー１３１および１５１に変更された後、図７のステップＳ４２において、コンテンツサーバ１１の暗号化部３２は、メモリ４３に書き換えられた暗号キー１３１を用いてコンテンツを暗号化し、暗号化されたコンテンツを送信部４１に供給し、また、図７のステップＳ３３において、ディスプレイ装置１２の暗号化部１４２は、メモリ６３に書き換えられた暗号キー１５１を用いてコンテンツを復号し、復号されたコンテンツをデコーダ５３に供給する。
【０１３９】
以上のように、コンテンツの送受信において、車両の製造番号、車両のナンバープレート、エンジンキーの番号、または、ユーザの免許証番号などの鍵生成情報７１に基づいて生成され、書き換えられた暗号キー１３１および１５１が用いられるので、初期暗号キーだけを用いるよりも、暗号キーに対するセキュリティが高くなる。さらに、図２および図３のコンテンツサーバ１１およびディスプレイ装置１２の場合と異なって、装置間を近づける必要もないため、所定の位置に設置したままで、簡単に、鍵生成情報７１に基づいて生成された暗号化キー１３１および１５１を用いるようにすることができる。
【０１４０】
図１４は、コンテンツサーバ１１の他の構成例を表している。なお、図１４のコンテンツサーバ１１は、認証部１６１および選択部１６２が追加されている点、並びに、鍵生成部３４および操作入力部３５が省かれている点を除いて、その他の構成は、上述した図２のコンテンツサーバ１１と同様の構成である。
【０１４１】
図１４の例においては、暗号化部３２は、メモリ４３に予め暗号キーを有しており、それに基づいて、受信部４２により受信された個人識別データを復号し、復号された個人識別データを認証部１６１に供給する。個人識別データは、ユーザ個人を識別し、また、ユーザ専用の暗号キーを生成するためのデータであり、ユーザ専用の鍵生成情報７１などが含まれる。暗号化部３２は、また、認証部１６１による認証結果に基づいて、個人識別データを作用させて、ユーザ専用の暗号キーを生成し、生成された暗号キーを用いて、選択部１６２からのコンテンツを暗号化し、送信部４１に供給する。なお、一旦生成されたユーザ専用の暗号キーは、メモリ４３に記憶されるようにしてもよい。
【０１４２】
認証部１６１は、暗号化部３２により復号された個人識別データに基づいて、ユーザを認証し、その認証結果を選択部１６２および暗号化部３２に供給する。選択部１６２は、認証部１６１の認証結果に基づいて、記憶部３３から読み出されるコンテンツを制限する。すなわち、選択部１６２は、認証部１６１により認証されたユーザに許可されているコンテンツしか読み出さないように制御する。
【０１４３】
送信部４１は、暗号化部３２により暗号化されたコンテンツをディスプレイ装置１２に送信する。受信部４２は、ディスプレイ装置１２からのコンテンツの要求信号を受信すると、コンテンツの要求信号を選択部１６２に供給する。また、受信部４２は、ディスプレイ装置１２から送信されてくる個人識別データを受信し、暗号化部３２に供給する。
【０１４４】
図１５は、ディスプレイ装置１２の他の構成例を表している。なお、図１５のディスプレイ装置１２は、カードリーダ１８１、認証部１８２、暗号化部１８３、および記憶部１８４が追加されている点、並びに、復号部５２が省かれている点を除いて、その他の構成は、上述した図３のディスプレイ装置１２と同様の構成である。
【０１４５】
図１５のディスプレイ装置１２は、ＩＣ（Integrated Circuit）カードなどにより構成されるカード１７１を着脱することができる。図１５の例においては、カード１７１は、ディスプレイ装置１２においてユーザを認証するために必要な認証データを記憶している認証用のカードである。カードリーダ１８１は、ディスプレイ装置１２に装着されたカード１７１から認証データを読み出し、読み出された認証データを認証部１８２に供給する。認証部１８２は、カードリーダ１８１より供給された認証データに基づいて、図示せぬ内蔵メモリよりユーザ専用の暗号解除キーおよび個人識別データなどの認証情報を読み出し、読み出された暗号解除キーおよび個人識別データを、暗号化部１８３に供給する。なお、個人識別データは、上述したように、ユーザ個人を識別するためと、コンテンツサーバ１１にユーザ専用の暗号キーを生成させるためのデータであり、ユーザにより予め登録されたユーザ専用の鍵生成情報７１が含まれる。
【０１４６】
暗号化部１８３は、図３の復号部５２と同様に、メモリ６３を内蔵しており、メモリ６３に予め記憶されている暗号キーを用いて、個人識別データを暗号化し、暗号化された個人識別データを、送信部６１を介して、コンテンツサーバ１１に送信する。また、暗号化部１８３は、認証部１８２からの個人識別データを、表示制御部５４に供給する。また、暗号化部１８３は、受信部６２で受信されたコンテンツサーバ１１からのコンテンツを、認証部１８２からのユーザ専用の暗号解除キーを用いて復号し、復号されたコンテンツをデコーダ５３に供給する。表示制御部５４は、暗号化部１８３を介して供給された個人識別データに基づいて、記憶部１８４からユーザ専用のメニュー画面を読み出し、読み出されたメニュー画面を、ＬＣＤ２１に表示させる。記憶部１８４は、ユーザ専用のメニュー画面などの情報を記憶している。
【０１４７】
送信部６１は、操作入力部５５を介して入力されるユーザの指示信号に基づいて、コンテンツの要求信号をコンテンツサーバ１１に送信する。また、送信部６１は、暗号化部１８３により暗号化された個人識別データをコンテンツサーバ１１に送信する。受信部６２は、コンテンツサーバ１１から送信されてくるコンテンツを受信し、暗号化部１８３に供給する。
【０１４８】
次に、図１６のフローチャートを参照して、図１５のディスプレイ装置１２のユーザ別コンテンツ受信処理を説明する。
【０１４９】
ユーザは、ディスプレイ装置１２でコンテンツサーバ１１のコンテンツを視聴するために、自分の認証用のカード１７１をディスプレイ装置１２に装着する。ディスプレイ装置１２のカードリーダ１８１は、ステップＳ１５１において、カード１７１が装着されるまで待機しており、カード１７１が装着されたと判断した場合、カード１７１から、ディスプレイ装置１２において、ユーザを認証するための認証データを読み出し、読み出された認証データを認証部１８２に供給し、ステップＳ１５２に進む。認証部１８２は、ステップＳ１５２において、カードリーダ１８１からの認証データに基づいて、内蔵メモリから、ユーザの認証情報（ユーザ専用の暗号解除キーおよびユーザ専用の鍵生成情報７１が含まれる個人識別データなど）を読み出し、暗号化部１８３に供給し、ステップＳ１５３に進む。
【０１５０】
暗号化部１８３は、ステップＳ１５３において、個人識別データを、メモリ６３に予め登録されている暗号キーで暗号化し、暗号化された個人識別データを、送信部６１に供給し、ステップＳ１５４に進む。また、このとき、暗号化部１８３は、個人識別データを表示制御部５４に供給する。表示制御部５４は、ステップＳ１５４において、暗号化部１８３より供給された個人識別データに基づいて、記憶部１８４に記憶されているユーザ用のメニュー（画面）を、ＬＣＤ２１に表示させ、ステップＳ１５５に進む。なお、この予め登録されている暗号キーも、鍵生成情報７１を作用させて生成されているようにしてもよい。
【０１５１】
ユーザは、ＬＣＤ２１に表示されるメニュー画面を見て、操作入力部５５を制御し、視聴したいコンテンツを要求する。操作入力部５５は、ユーザの操作に基づいて、コンテンツの要求信号を送信部６１に供給する。送信部６１は、ステップＳ１５５において、操作入力部５５からのコンテンツの要求信号と、暗号化部１８３からの暗号化された個人識別データを、コンテンツサーバ１１に送信する。
【０１５２】
ステップＳ１５５の処理に対応して、コンテンツサーバ１１は、後述する図１７のステップＳ１７７において、コンテンツをユーザ専用の暗号キーを用いて暗号化して、ステップＳ１７８において、暗号化されたコンテンツを送信してくる。受信部６２は、ステップＳ１５６において、コンテンツサーバ１１からのコンテンツを受信し、暗号化部１８３に供給し、ステップＳ１５７に進む。暗号化部１８３は、ユーザ専用の暗号解除キーを用いて、受信部６２からのコンテンツを復号（暗号解除）し、暗号が解除されたコンテンツを、デコーダ５３に供給し、ステップＳ１５８に進む。デコーダ５３は、ステップＳ１５８において、復号部５２により暗号が解除されたコンテンツをデコードし、デコードされたコンテンツを表示制御部５４に供給する。表示制御部５４は、デコーダ５３からのコンテンツを、ＬＣＤ２１に表示させ、ユーザ別コンテンツ受信処理を終了する。
【０１５３】
上述したユーザ別コンテンツ受信処理に対応して実行される図１４のコンテンツサーバ１１のユーザ別コンテンツ送信処理を図１７のフローチャートを参照して説明する。上述した図１６のステップＳ１５５において、ディスプレイ装置１２は、コンテンツ要求信号と個人識別データを送信してくる。コンテンツサーバ１１の受信部４２は、ステップＳ１７１において、ディスプレイ装置１２からの個人識別データを受信するまで待機しており、ディスプレイ装置１２からのコンテンツ要求信号および個人識別データを受信すると、コンテンツ要求信号を、選択部１６２に供給し、個人識別データを暗号化部３２に供給し、ステップＳ１７２に進む。
【０１５４】
暗号化部３２は、ステップＳ１７２において、メモリ４３に予め記憶されている暗号化キーを用いて、個人識別データを復号（暗号解除）し、暗号が解除された個人識別データを認証部１６１に供給し、ステップＳ１７３に進む。認証部１６１は、個人識別データに基づいて、ユーザを認証し、その認証結果および個人識別データを、暗号化部３２および選択部１６２に供給し、ステップＳ１７４に進む。暗号化部３２は、ステップＳ１７４において、認証部１６１の認証結果に基づいて、個人識別データに含まれるユーザ専用の鍵生成情報７１を作用させて、ユーザ専用の暗号キーを生成し、ステップＳ１７５に進む。なお、一旦生成された暗号キーは、メモリ４３に記憶しておくようにしてもよい。この場合、次回の処理のステップＳ１７４においては、認証部１６１の認証結果に基づいて、暗号化部３２により、メモリ４３からユーザ専用の暗号キーが読み出される。
【０１５５】
選択部１６２は、ステップＳ１７５において、受信部４２からのコンテンツの要求信号および認証部１６１のユーザの認証結果に基づいて、要求されたコンテンツを読み出すことが、認証されたユーザに対して、制限されているか否か、すなわち、要求されたコンテンツがユーザに許可されているか否かを判断し、要求されたコンテンツがユーザに許可されていると判断した場合、ステップＳ１７６に進み、記憶部３３から、要求されたコンテンツを読み出し、読み出されたコンテンツを暗号化部３２に供給し、ステップＳ１７７に進む。
【０１５６】
暗号化部３２は、ステップＳ１７７において、選択部１６２からのコンテンツを、生成されたユーザ専用の暗号キーを用いて暗号化し、暗号化されたコンテンツを送信部４１に供給し、ステップＳ１７８に進む。送信部４１は、ステップＳ１７８において、暗号化部３２により暗号化されたコンテンツを、無線通信で、ディスプレイ装置１２に送信し、ユーザ別コンテンツ送信処理を終了する。
【０１５７】
一方、選択部１６２は、ステップＳ１７５において、要求されたコンテンツがユーザに許可されていないと判断した場合、選択部１６２によりコンテンツの読み出しが禁止されるので、ステップＳ１７６乃至Ｓ１７８の処理をスキップし、ユーザ別コンテンツ送信処理を終了する。
【０１５８】
以上のように、ユーザ別の鍵生成情報７１を作用させてユーザ専用の暗号キーを生成するようにしたので、暗号キーに対するセキュリティを高めるだけでなく、ユーザ毎に、コンテンツサーバ１１において読み出されるコンテンツの制限を行ったり、または、ディスプレイ装置１２において、表示される画面をユーザ専用のものにすることができる。これにより、ユーザに、ユーザの嗜好に応じた車内空間を提供したり、また、子供に見せるコンテンツを制限することができる。
【０１５９】
なお、図１６のステップＳ１５３においては、記憶部１８４に記憶されているユーザ別のメニュー画面を表示するようにしたが、コンテンツサーバ１１から個人識別データに基づいて、コンテンツが制限されたメニュー画面情報を取得して、取得された情報に基づいて、メニュー画面を表示するようにしてもよい。これにより、ユーザは、許可されていないコンテンツを指示できなくなるので、読み出されるコンテンツを制限することができる。
【０１６０】
また、図１５のディスプレイ装置１２においては、カード１７１を用いてユーザの認証を行うようにしたが、ユーザＩＤおよびパスワードを入力することによりユーザ認証を行うようにしてもよい。
【０１６１】
図１８は、コンテンツサーバ１１のさらに他の構成例を表している。なお、図１８において、図２における場合と対応する部分には対応する符号を付してあり、その説明は繰り返しになるので省略する。また、図１８のコンテンツサーバ１１においては、図示されていないが、図２のコンテンツサーバ１１と同様の暗号化処理も行うようにしてもよい。このことは、後述する図２２のコンテンツサーバ１１、並びに図１９および図２３のディスプレイ装置においても同様である。
【０１６２】
図１８の例においては、記憶部３３から読み出されたコンテンツは、伝送レート変換部２０１に供給される。伝送レート変換部２０１は、転送開始時には、記憶部３３からのコンテンツを、そのまま送信部４１に供給しており、伝送レート測定部２０２の制御のもと、コンテンツの優先度に応じて、記憶部３３からのコンテンツのビットレートを変更して、送信部４１に供給する。
【０１６３】
伝送レート測定部２０２は、例えば、802.11bの規格においては、１０ＭＢが上限とされているというように、無線通信部３１の有する無線の伝送能力を記憶している。伝送レート測定部２０２は、伝送レート変換部２０１から送信部４１に供給されるコンテンツの伝送レートを計測し、計測されたコンテンツの伝送レートの合計を算出し、算出された伝送レートの合計が、無線通信部３１の有する無線の伝送能力を超えているか否かを判断する。
【０１６４】
伝送レート測定部２０２は、伝送レートの合計が、無線通信部３１の有する伝送能力を超えていると判断した場合、伝送レート変換部２０１を制御し、優先度に応じてコンテンツの伝送レート（ビットレート）を削減させる。すなわち、カーナビゲーション処理に用いられる地図などのコンテンツは、高画質、高速表示が求められるので、優先度が高いとされる。これに対して、例えば、後部座席などで視聴される映画などのコンテンツは、楽しみのためのものであるので、前者に比べれば、優先度が低いとされる。したがって、伝送レート変換部２０１は、優先度の低いとされるコンテンツの伝送レート（ビットレート）を、例えば、８ＭＢから４ＭＢに削減して、送信部４１に供給する。なお、この優先度は、予め設定されているものとしたが、ユーザにより設定されるものとしてもよい。
【０１６５】
送信部４１は、伝送レート変換部２０１から供給されるコンテンツをディスプレイ装置１２に送信する。受信部４２は、ディスプレイ装置１２からのコンテンツの要求信号を受信すると、記憶部３３を制御し、要求されたコンテンツを読み出させる。
【０１６６】
図１９は、ディスプレイ装置１２のさらに他の構成例を表している。図１９のディスプレイ装置１２は、復号部５２が省かれている点を除いて、その他の構成は、上述した図３のディスプレイ装置１２と同様の構成であるので、その説明は繰り返しになるので、その説明を省略する。なお、図１９においては、復号部５２を省略したが、図３のコンテンツサーバ１１と同様の復号処理も行うようにしてもよい。
【０１６７】
図１９の例においては、送信部６１は、操作入力部５５を介して入力されるユーザの指示信号に基づいて、コンテンツの要求信号をコンテンツサーバ１１に送信する。受信部６２は、コンテンツサーバ１１から送信されてくるコンテンツを受信し、デコーダ５３に供給する。
【０１６８】
次に、図２０のフローチャートを参照して、図１８のコンテンツサーバ１１のコンテンツ送信処理を説明する。ユーザは、ディスプレイ装置１２を操作してコンテンツを要求するので、ディスプレイ装置１２は、後述する図２１のステップＳ２２１において、コンテンツの要求信号をコンテンツサーバ１１に送信してくる。これに対応して、コンテンツサーバ１１の受信部４２は、コンテンツの要求信号を受信し、受信した要求信号を記憶部３３に供給している。
【０１６９】
記憶部３３は、ステップＳ２０１において、受信部４２からの要求信号に基づいて、記憶部３３からコンテンツを読み出し、伝送レート変換部２０１に供給し、ステップＳ２０２に進む。無線通信部３１の送信部４１には、前回の処理で読み出されたコンテンツが伝送レート変換部２０１から供給されているので、伝送レート測定部２０２は、ステップＳ２０２において、送信部４１に供給されるコンテンツの伝送レートを測定し、ステップＳ２０３に進み、測定したコンテンツの伝送レートの合計を算出し、ステップＳ２０４に進む。
【０１７０】
伝送レート測定部２０２は、ステップＳ２０４において、ステップＳ２０３において算出された伝送レートの合計が、無線通信部３１の伝送能力を超えているか否かを判断し、算出された伝送レートの合計が、無線通信部３１の伝送能力を超えていると判断した場合、ステップＳ２０５に進み、伝送レート変換部２０１に、伝送レートの削減を制御させる。具体的には、伝送レート変換部２０１は、ステップＳ２０５において、伝送レート測定部２０２の制御のもと、優先度の低いコンテンツの伝送レート（ビットレート）を削減し、優先度の高いコンテンツの伝送レートはそのままで、伝送レートを伝送能力以下に削減する。そして、伝送レート変換部２０１は、伝送レートが削減されたコンテンツを送信部４１に供給し、ステップＳ２０６に進む。
【０１７１】
ステップＳ２０４において、伝送レート測定部２０２は、算出された伝送レートの合計が、無線通信部３１の伝送能力を超えていないと判断した場合、ステップＳ２０５の処理をスキップして、ステップＳ２０６に進む。すなわち、この場合、伝送レート変換部２０１は、伝送レートを変換せずに、記憶部３３から読み出されたコンテンツを送信部４１に供給する。送信部４１は、ステップＳ２０６において、伝送レート変換部２０１から供給されたコンテンツを、無線通信で、ディスプレイ装置１２に送信し、コンテンツ送信処理を終了する。
【０１７２】
次に、上述したコンテンツサーバ１１のコンテンツ送信処理に対応する図１９のディスプレイ装置１２のコンテンツ受信処理を、図２１のフローチャートを参照して説明する。ユーザは、操作入力部５５を操作して、コンテンツを要求する。送信部６１は、ユーザのコンテンツの要求信号を操作入力部５５を介して入力すると、ステップＳ２２１において、操作入力部５５からのコンテンツの要求信号を、コンテンツサーバ１１に送信する。
【０１７３】
これに対応して、コンテンツサーバ１１は、上述した図２０のステップＳ２０６において、コンテンツを送信してくる。ディスプレイ装置１２の受信部６２は、ステップＳ２２２において、コンテンツサーバ１１からのコンテンツを受信し、受信されたコンテンツをデコーダ５３に供給し、ステップＳ２２３に進む。デコーダ５３は、ステップＳ２２３において、受信部６２から供給されたコンテンツをデコードし、デコードされたコンテンツを表示制御部５４に供給する。表示制御部５４は、デコーダ５３からのコンテンツを、ＬＣＤ２１に表示させ、コンテンツ受信処理を終了する。
【０１７４】
以上のように、コンテンツサーバ１１の伝送能力に応じて、優先度の低いコンテンツのビットレートが削減されるので、限りある無線帯域を有効に利用でき、こま落ちや音切れなどの発生が抑制される。これにより、カーナビゲーション処理を実行する上で重要なコンテンツの画質、再生速度を落とすことなく、運転への安全性が保たれ、かつ、各個人が自由にコンテンツを楽しむことができる。
【０１７５】
図２２は、コンテンツサーバ１１のさらに他の構成例を表している。なお、図２２のコンテンツサーバ１１は、帯域計算部２２２が追加されている点、並びに、伝送レート測定部２０２が省かれている点を除いて、その他の構成は、上述した図１８のコンテンツサーバ１１と同様の構成である。
【０１７６】
図２２の例においては、伝送レート変換部２０１は、転送開始時には、記憶部３３からのコンテンツを、そのまま送信部４１に供給しており、帯域計算部２２２の制御のもと、コンテンツの優先度に応じて、記憶部３３からのコンテンツの伝送レート（ビットレート）を変更して、送信部４１に供給する。
【０１７７】
帯域計算部２２２は、無線接続されている各ディスプレイ装置１２からの受信データ量の測定結果を、受信部４２を介して受信し、受信データ量の測定結果をリアルタイムに積算する。帯域計算部２２２は、その積算した結果に基づいて、伝送されているコンテンツ伝送レートの合計が、無線通信部３１の有する無線の伝送能力を超えているか否かを判断し、伝送レートの合計が、無線通信部３１の有する伝送能力を超えていると判断した場合、コンテンツの伝送レートを均等に削減させるために、各コンテンツの削減すべき伝送レートを、伝送レート変換部２０１に供給する。なお、この場合も、図１８のコンテンツサーバ１１の場合と同様に、優先度に応じて、コンテンツの伝送レートを削減するようにしてもよい。
【０１７８】
送信部４１は、伝送レート変換部２０１から供給されるコンテンツをディスプレイ装置１２に送信する。受信部４２は、ディスプレイ装置１２からのコンテンツの要求信号を受信すると、記憶部３３を制御し、要求されたコンテンツを読み出させる。また、受信部４２は、ディスプレイ装置１２からの受信データ量の測定結果を受信し、帯域計算部２２２に供給する。
【０１７９】
図２３は、ディスプレイ装置１２の他の構成例を表している。図２３のディスプレイ装置１２は、データ測定部２４１が追加されている点を除いて、その他の構成は、上述した図１９のディスプレイ装置１２と同様の構成である。
【０１８０】
図２３の例においては、送信部６１は、操作入力部５５を介して入力されるユーザの指示信号に基づいて、コンテンツの要求信号をコンテンツサーバ１１に送信する。また、送信部６１は、データ測定部２４１からの受信データ量の測定結果を、無線通信で、コンテンツサーバ１１に送信する。受信部６２は、コンテンツサーバ１１からのコンテンツを受信すると、受信されたコンテンツを、データ測定部２４１を介して、デコーダ５３に供給する。データ測定部２４１は、受信されたコンテンツのデータ量を、一定の時間間隔（例えば、１秒）で測定し、そのコンテンツを、デコーダ５３に供給する。そして、データ測定部２４１は、受信データ量の測定結果を、送信部６１に供給する。
【０１８１】
次に、図２４のフローチャートを参照して、図２２のコンテンツサーバ１１のコンテンツ送信処理を説明する。ユーザは、ディスプレイ装置１２を操作してコンテンツを要求するので、ディスプレイ装置１２は、後述する図２５のステップＳ２６１において、コンテンツの要求信号をコンテンツサーバ１１に送信してくる。これに対応して、コンテンツサーバ１１の受信部４２は、コンテンツの要求信号を受信し、受信した要求信号を記憶部３３に供給している。
【０１８２】
記憶部３３は、ステップＳ２４１において、受信部４２からの要求信号に基づいて、記憶部３３からコンテンツを読み出し、伝送レート変換部２０１に供給し、ステップＳ２４２に進む。受信部４２は、ステップＳ２４２において、各ディスプレイ装置１２から受信データ量の測定結果を受信したか否かを判断し、各ディスプレイ装置１２から受信データ量の測定結果を受信していないと判断した場合、ステップＳ２４３乃至Ｓ２４５の処理をスキップし、ステップＳ２４６に進む。受信部４２は、ステップＳ２４２において、各ディスプレイ装置１２から受信データ量の測定結果を受信したと判断した場合、受信した受信データ量の測定結果を、帯域計算部２２２に供給し、ステップＳ２４３に進む。帯域計算部２２２は、ステップＳ２４３において、受信データ量の測定結果を、リアルタイムに積算し、ステップＳ２４４に進み、その積算した結果に基づいて、伝送されているコンテンツ伝送レートの合計が、無線通信部３１の有する無線の伝送能力を超えているか否かを判断する。
【０１８３】
帯域計算部２２２は、ステップＳ２４４において、伝送レートの合計が、無線通信部３１の有する伝送能力を超えていると判断した場合、コンテンツの伝送レートを均等に削減させるために、各コンテンツの削減すべき伝送レートを、伝送レート変換部２０１に供給し、ステップＳ２４５に進む。伝送レート変換部２０１は、帯域計算部２２２の制御に応じて、記憶部３３から読み出されたコンテンツの伝送レートを均等に削減し、伝送レートの削減されたコンテンツを送信部４１に供給し、ステップＳ２４６に進む。
【０１８４】
ステップＳ２４４において、帯域計算部２２２は、伝送レートの合計が、無線通信部３１の伝送能力を超えていないと判断した場合、ステップＳ２４５の処理をスキップして、ステップＳ２４６に進む。すなわち、この場合、伝送レート変換部２０１は、伝送レートを変換せずに、記憶部３３から読み出されたコンテンツを送信部４１に供給する。送信部４１は、ステップＳ２４６において、伝送レート変換部２０１から供給されたコンテンツを、無線通信で、ディスプレイ装置１２に送信し、コンテンツ送信処理を終了する。
【０１８５】
次に、上述したコンテンツサーバ１１の処理に対応する図２３のディスプレイ装置１２のコンテンツ受信処理を図２５のフローチャートを参照して説明する。ユーザは、操作入力部５５を操作して、コンテンツを要求する。送信部６１は、ユーザのコンテンツの要求信号を操作入力部５５を介して入力すると、ステップＳ２６１において、操作入力部５５からのコンテンツの要求信号を、コンテンツサーバ１１に送信する。
【０１８６】
これに対応して、コンテンツサーバ１１は、上述した図２４のステップＳ２４６において、コンテンツを送信してくる。ディスプレイ装置１２の受信部６２は、ステップＳ２６２において、コンテンツサーバ１１からのコンテンツを受信し、受信されたコンテンツをデータ測定部２４１に供給し、ステップＳ２６３に進む。データ測定部２４１は、ステップＳ２６３において、受信部６２からのコンテンツのデータ量を、一定の時間間隔（例えば、１秒）で測定し、そのコンテンツを、デコーダ５３に供給する。そして、データ測定部２４１は、受信データ量の測定結果を、送信部６１に供給し、ステップＳ２６４に進む。
【０１８７】
デコーダ５３は、ステップＳ２６４において、データ測定部２４１から供給されたコンテンツをデコードし、デコードされたコンテンツを表示制御部５４に供給する。表示制御部５４は、デコーダ５３からのコンテンツを、ＬＣＤ２１に表示させ、ステップＳ２６５に進む。送信部６１は、ステップＳ２６５において、データ測定部２４１からの受信データ量の測定結果を、無線通信で、コンテンツサーバ１１に送信し、コンテンツ受信処理を終了する。
【０１８８】
以上のように、コンテンツサーバ１１の伝送能力に応じて、コンテンツの伝送レートが削減されるので、限りある無線帯域を有効に利用でき、こま落ちや音切れなどの発生が抑制される。
【０１８９】
さらに、図２３のディスプレイ装置１２で実際に受信されたコンテンツの受信データ量が計測された結果に基づいて、実際に伝送されているコンテンツのデータ量が伝送能力より超えているか否かが判断されるので、図１８のコンテンツサーバ１１において、伝送される前のコンテンツの伝送レートを計測するよりも、確実な判断が実行される。
【０１９０】
以上のように、コンテンツサーバ１１の伝送能力およびコンテンツの優先度に応じて、コンテンツの伝送レート（ビットレート）が変更される。したがって、特に、車内においては、カーナビゲーション処理を実行する上で重要なコンテンツの画質、再生速度を落とすことなく、かつ、各個人が自由にコンテンツを楽しむことができ、ユーザに、快適な車内空間を提供することができる。また、このように、カーナビゲーションシステムの地図のコンテンツをスムーズに再生することは、結果的に、運転の安全性を高める効果にもなる。
【０１９１】
なお、上記説明においては、無線接続される装置を、コンテンツサーバおよびディスプレイ装置として説明したが、コンテンツサーバやディスプレイ装置のみに限らず、オーディオ機器、パーソナルコンピュータ、ＰＤＡ(Personal Digital assistant)、またはデジタルカメラなどとしてもよい。
【０１９２】
また、上記説明においては、IEEE802.11bなどで規定される無線通信での通信を説明したが、車内に設置された装置間での伝送が可能な電波による通信であればよく、ブルートゥース（登録商標）のように比較的通信範囲の狭い無線通信などにも適用することができる。さらに、上記説明においては、車内として自家用車の場合を説明したが、もちろん、バスや電車などにも適用される。また、もちろん、用いられる無線通信の通信可能範囲であれば、車内に設置された装置と、車外の車両の近傍にある装置との通信にも適用される。
【０１９３】
上述した一連の処理は、ハードウェアにより実行させることもできるが、ソフトウェアにより実行させることもできる。この場合、例えば、図２、図８、図１０、図１４、図１８、および図２２のコンテンツサーバ１１、並びに、図３、図９、図１１、図１５、図１９、および図２３のディスプレイ装置１２は、図２６に示されるような情報処理装置３０１により構成される。
【０１９４】
図２６において、ＣＰＵ（Central Processing Unit）３１１は、ＲＯＭ(Read Only Memory) ３１２に記憶されているプログラム、または、記憶部３１８からＲＡＭ（Random Access Memory）３１３にロードされたプログラムに従って各種の処理を実行する。ＲＡＭ３１３にはまた、ＣＰＵ３１１が各種の処理を実行する上において必要なデータなどが適宜記憶される。
【０１９５】
ＣＰＵ３１１、ＲＯＭ３１２、およびＲＡＭ３１３は、バス３１４を介して相互に接続されている。このバス３１４にはまた、入出力インタフェース３１５も接続されている。
【０１９６】
入出力インタフェース３１５には、キーボード、マウスなどよりなる入力部３１６、ＣＲＴ(Cathode Ray Tube)，ＬＣＤ（Liquid Crystal Display）などよりなるディスプレイ、並びにスピーカなどよりなる出力部３１７、ハードディスクなどより構成される記憶部３１８、モデム、ターミナルアダプタなどより構成される通信部３１９が接続されている。通信部３１９は、無線などのネットワークを介しての通信処理を行う。
【０１９７】
入出力インタフェース３１５にはまた、必要に応じてドライブ３２０が接続され、磁気ディスク３２１、光ディスク３２２、光磁気ディスク３２３、或いは半導体メモリ３２４などが適宜装着され、それから読み出されたコンピュータプログラムが、必要に応じて記憶部３１８にインストールされる。
【０１９８】
一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば、汎用のパーソナルコンピュータなどに、ネットワークや記録媒体からインストールされる。
【０１９９】
この記録媒体は、図２６に示されるように、装置本体とは別に、ユーザにプログラムを提供するために配布される、プログラムが記録されている磁気ディスク３２１（フレキシブルディスクを含む）、光ディスク３２２（CD-ROM(Compact Disk-Read Only Memory)，ＤＶＤ(Digital Versatile Disk)を含む）、光磁気ディスク３２３（MD(Mini-Disk)（商標）を含む）、もしくは半導体メモリ３２４などよりなるパッケージメディアにより構成されるだけでなく、装置本体に予め組み込まれた状態でユーザに提供される、プログラムが記録されているＲＯＭ３１２や、記憶部３１９に含まれるハードディスクなどで構成される。
【０２００】
なお、本明細書において、フローチャートに示されるステップは、記載された順序に従って時系列的に行われる処理はもちろん、必ずしも時系列的に処理されなくとも、並列的あるいは個別に実行される処理をも含むものである。
【０２０１】
なお、本明細書において、システムとは、複数の装置により構成される装置全体を表すものである。
【図面の簡単な説明】
【０２０２】
【図１】本発明の無線通信システムの構成例を示す図である。
【図２】図１のコンテンツサーバの構成例を示すブロック図である。
【図３】図１のディスプレイ装置の構成例を示すブロック図である。
【図４】図２のコンテンツサーバと図３のディスプレイ装置のキー登録処理を説明するフローチャートである。
【図５】図２のコンテンツサーバと図３のディスプレイ装置のキー登録処理を説明するフローチャートである。
【図６】図１の無線通信システムのキー登録処理を説明する図である。
【図７】図１の無線通信システムのコンテンツ送受信処理を説明するフローチャートである。
【図８】図１のコンテンツサーバの他の構成例を示すブロック図である。
【図９】図１のディスプレイ装置の他の構成例を示すブロック図である。
【図１０】図１のコンテンツサーバのさらに他の構成例を示すブロック図である。
【図１１】図１のディスプレイ装置のさらに他の構成例を示すブロック図である。
【図１２】図１１のディスプレイ装置の暗号キー変更処理を説明するフローチャートである。
【図１３】図１０のコンテンツサーバの暗号キー変更処理を説明するフローチャートである。
【図１４】図１のコンテンツサーバの他の構成例を示すブロック図である。
【図１５】図１のディスプレイ装置の他の構成例を示すブロック図である。
【図１６】図１５のディスプレイ装置のユーザ別コンテンツ受信処理を説明するフローチャートである。
【図１７】図１４のコンテンツサーバのユーザ別コンテンツ送信処理を説明するフローチャートである。
【図１８】図１のコンテンツサーバのさらに他の構成例を示すブロック図である。
【図１９】図１のディスプレイ装置のさらに他の構成例を示すブロック図である。
【図２０】図１８のコンテンツサーバのコンテンツ送信処理を説明するフローチャートである。
【図２１】図１９のディスプレイ装置のコンテンツ受信処理を説明するフローチャートである。
【図２２】図１のコンテンツサーバの他の構成例を示すブロック図である。
【図２３】図１のディスプレイ装置の他の構成例を示すブロック図である。
【図２４】図２２のコンテンツサーバのコンテンツ送信処理を説明するフローチャートである。
【図２５】図２３のディスプレイ装置のコンテンツ受信処理を説明するフローチャートである。
【図２６】本発明を適用した情報処理装置の構成例を示すブロック図である。
【符号の説明】
【０２０３】
１  無線通信システム，１１  コンテンツサーバ，１２，１２−１乃至１２−３  ディスプレイ装置，３１  無線通信部，３２  暗号化部，３３  記憶部，３４  鍵生成部，３５  操作入力部，３６  鍵生成情報３６  送信部，４２  受信部，５１  無線通信部，５２  復号部，５３  デコーダ，５４  表示制御部，５５  操作入力部，６１  送信部，６２  受信部，７１  鍵生成情報，８１  受信ボタン，８２  送信ボタン
【図１】
2005175740.tif 000003
【図２】
2005175740.tif 000004
【図３】
2005175740.tif 000005
【図４】
2005175740.tif 000006
【図５】
2005175740.tif 000007
【図６】
2005175740.tif 000008
【図７】
2005175740.tif 000009
【図８】
2005175740.tif 000010
【図９】
2005175740.tif 000011
【図１０】
2005175740.tif 000012
【図１１】
2005175740.tif 000013
【図１２】
2005175740.tif 000014
【図１３】
2005175740.tif 000015
【図１４】
2005175740.tif 000016
【図１５】
2005175740.tif 000017
【図１６】
2005175740.tif 000018
【図１７】
2005175740.tif 000019
【図１８】
2005175740.tif 000020
【図１９】
2005175740.tif 000021
【図２０】
2005175740.tif 000022
【図２１】
2005175740.tif 000023
【図２２】
2005175740.tif 000024
【図２３】
2005175740.tif 000025
【図２４】
2005175740.tif 000026
【図２５】
2005175740.tif 000027
【図２６】
2005175740.tif 000028